(57)【要約】      （修正有）【課題】横電界モードを用いた液晶表示装置、特にブルー相を示す液晶を用いた液晶表示装置において、黒表示を行う画素で生じる光漏れを低減し、白表示を行う画素における透過率を向上させ、コントラスト比の向上を図る液晶表示装置を提供する。【解決手段】第１の方向１３０の偏光軸を有する第１の偏光板と、第１の方向と直交する第２の方向１３２の偏光軸を有する第２の偏光板と、第１の基板１００に設けられた複数の第１の構造体１１０と、第１の基板に設けられた複数の第２の構造体１１２と、複数の第１の構造体の上面および側面を覆う第１の電極層１２０と、複数の第２の構造体の上面および側面を覆う第２の電極層１２２と、第２の基板１０２に設けられ、少なくとも一部が第２の電極層と重畳する第３の電極層１２３とを設け、第１の構造体の側面および第２の構造体の側面は、第１の方向または第２の方向に平行に設ける。【選択図】図１
2018022167.tif 000002
【特許請求の範囲】
【請求項１】
第１の基板と第２の基板の間に挟持された液晶層と、
前記第１の基板の上方の複数の凸部を有する第１の電極と、
前記第１の基板の上方の複数の凸部を有する第２の電極と、
前記第２の基板下方の前記液晶層側の面に、少なくとも一部が前記第２の電極層と重畳するように設けられた第３の電極層と、を有し、
前記第１の構造体の側面および前記第２の構造体の側面は、前記第１の方向または前記第２の方向に沿うように設けられた領域を有する液晶表示装置。
【発明の詳細な説明】
【技術分野】
【０００１】
本発明は液晶表示装置、特に横電界モードのアクティブマトリクス型の液晶表示装置に
関する。
【背景技術】
【０００２】
近年、テレビ、パーソナルコンピュータ、携帯電話など様々な電子機器において、フラ
ットパネルディスプレイが用いられており、フラットパネルディスプレイの多くは、液晶
素子の電界応答性を利用した液晶ディスプレイ（液晶表示装置）である。
【０００３】
液晶表示装置の表示方式としては、ＴＮ（Ｔｗｉｓｔｅｄ  Ｎｅｍａｔｉｃ）モードが
代表的に用いられる。しかし、液晶層に対して縦向きに電界を印加するＴＮモードの液晶
表示装置には、視野角による色変化や輝度変化が大きい、つまり、正常な視野角が狭いと
いう欠点があった。
【０００４】
これに対してＴＮモードの他によく用いられる液晶表示装置の表示方式としてＩＰＳモ
ード（Ｉｎ−Ｐｌａｎｅ−Ｓｗｉｔｃｈｉｎｇ）などの横電界モードが挙げられる。ＴＮ
モードとは異なり、横電界モードは、基板に対して平行に電界を印加することにより液晶
分子の駆動を行う。これにより、横電界モードの液晶表示装置は、ＴＮモードの液晶表示
装置より視野角を広げることが可能である。しかし、横電界モードもコントラスト比や応
答速度などの面において問題が残っていた。
【０００５】
液晶分子の応答速度の高速化が図られた表示モードとしては、ＦＬＣ（Ｆｅｒｒｏｅｌ
ｅｃｔｒｉｃ  Ｌｉｑｕｉｄ  Ｃｒｙｓｔａｌ）モード、ＯＣＢ（Ｏｐｔｉｃａｌ  Ｃｏ
ｍｐｅｎｓａｔｅｄ  Ｂｉｒｅｆｒｉｎｇｅｎｃｅ）モード、ブルー相を示す液晶を用い
るモードが挙げられる。
【０００６】
特にブルー相を示す液晶を用いる表示モードは、高速応答が可能なことに加えて、配向
膜が不要、高視野角化が可能など、様々なメリットが挙げられる。また、ブルー相を示す
液晶においては、ブルー相が出現する温度範囲が狭いという欠点があったが、液晶に高分
子安定化処理を行うことによって、温度範囲を広げる研究などが行われている（例えば特
許文献１参照）。
【０００７】
また、ブルー相を示す液晶を用いた液晶表示装置では、従来の表示モードの液晶と比較
して高い電圧を印加する必要がある。特にブルー相を示す液晶を横電界モードの液晶表示
装置に用いる場合、液晶層に対して横向きに電界を印加する必要があるので、さらに高い
駆動電圧を要求される。これに対して、凸状に形成された絶縁層の側面まで覆うように電
極層を成膜して櫛形電極を形成することによって、基板法線方向の電極の面積を増大させ
て駆動電圧の低減を図ることが行われている（例えば特許文献２参照）。
【先行技術文献】
【特許文献】
【０００８】
【特許文献１】国際公開第０５／０９０５２０号パンフレット
【特許文献２】特開２００５−２２７７６０号公報
【発明の概要】
【発明が解決しようとする課題】
【０００９】
しかし、特許文献２に示すように、凸状に形成された絶縁層の側面まで覆うように電極
層を成膜して櫛形電極を形成すると、黒表示を行っている画素の電極層近傍で光が漏れて
しまうという問題が発生していた。このように、黒表示を行う画素で光漏れが起こると、
表示装置の、白透過率（白表示時の光の透過率）と黒透過率（黒表示時の光の透過率）と
の比であるコントラスト比が低下してしまう。
【００１０】
これは、凸状に形成された絶縁層の側面まで覆うように電極層を成膜して櫛形電極を形
成することにより、凸状に形成された絶縁層と電極層の屈折率、および液晶層と電極層の
屈折率の違いから構造性複屈折が引き起こされたためと考えられる。つまり、凸状に形成
された絶縁層、電極層および液晶層からなる層が位相差板のように機能して、本来直線偏
光として液晶層から射出される光を楕円偏光に変換してしまう。これにより、黒表示の際
には射出側の偏光板で吸収されるはずの光の一部が射出側の偏光板を通過してしまい、黒
表示を行う画素で光漏れが引き起こされることになる。
【００１１】
また、このような問題は、特許文献２に示すようなブルー相を示す液晶を用いるモード
に限られるものではなく、凸状に形成された絶縁層を覆うように電極層を成膜して櫛形電
極を形成して駆動電圧の低減を図った、横電界モードを用いる液晶表示装置全般について
言えることである。
【００１２】
さらに、特許文献２に示すように、凸状に形成された絶縁層の側面まで覆うように電極
層を成膜して櫛形電極を形成するだけでは、十分に駆動電圧の低減を図ることが難しいと
いう問題もあった。液晶表示装置の駆動電圧が高いと、白表示を行う画素で十分に光を透
過させることができず、液晶表示装置の白透過率が低下してしまう。よって、液晶表示装
置のコントラスト比が低下してしまう。
【００１３】
以上のような問題に鑑み、横電界モードを用いた液晶表示装置、特にブルー相を示す液
晶を用いた液晶表示装置において、黒表示を行う画素で生じる光漏れを低減し、コントラ
スト比の向上を図る液晶表示装置を提供することを課題の一とする。また、横電界モード
を用いた液晶表示装置、特にブルー相を示す液晶を用いた液晶表示装置において、白表示
を行う画素における透過率を向上させ、コントラスト比の向上を図る液晶表示装置を提供
することを課題の一とする。
【課題を解決するための手段】
【００１４】
開示する発明の一態様は、第１の基板に設けられた、第１の方向の偏光軸を有する第１
の偏光板と、第２の基板に設けられた、第１の方向と直交する第２の方向の偏光軸を有す
る第２の偏光板と、第１の基板と第２の基板の間に挟持された液晶層と、第１の基板の液
晶層側の面から液晶層中に突出して設けられた、複数の第１の構造体と、第１の基板の液
晶層側の面から液晶層中に突出して設けられた、複数の第２の構造体と、複数の第１の構
造体の上面および側面を覆う第１の電極層と、複数の第２の構造体の上面および側面を覆
う第２の電極層と、第２の基板の液晶層側の面に、少なくとも一部が第２の電極層と重畳
するように設けられた第３の電極層と、を有し、第１の構造体の側面および第２の構造体
の側面は、第１の方向または第２の方向に平行に設けられており、第１の電極層と第２の
電極層の間の液晶層に生じる電界の向きが第１の方向と第２の方向のなす角を等分にする
第３の方向となり、第１の電極層と第３の電極層の間の液晶層に生じる電界の平面方向の
成分の向きが第１の方向と第２の方向のなす角を等分にする第３の方向となる液晶表示装
置である。
【００１５】
また、複数の第１の構造体は、第３の方向に直交するように配列して設けられ、複数の
第２の構造体は、複数の第１の構造体からなる列と一定の間隔で対向して、第３の方向に
直交するように配列して設けられ、第１の電極層と第２の電極層は、一定の間隔で対向し
て第３の方向に直交するように設けられ、第３の電極層は、少なくとも一部が第２の電極
層と重畳して、第３の方向に直交するように設けられることが好ましい。また、第１の構
造体および第２の構造体の底面は略正方形状としてもよい。
【００１６】
また、複数の第１の構造体は、底面の角部、および上面と底面の間に形成される角部が
円弧状に面取りされ、列ごとにそれぞれの第１の構造体がつながって設けられ、複数の第
２の構造体は、底面の角部、および上面と底面の間に形成される角部が円弧状に面取りさ
れ、列ごとにそれぞれの第２の構造体がつながって設けられてもよい。さらに、複数の第
１の構造体の円弧状に面取りされた底面の角部、および上面と底面の間に形成される角部
が露出されるように第１の電極層が設けられ、複数の第２の構造体の円弧状に面取りされ
た底面の角部、および上面と底面の間に形成される角部が露出されるように第２の電極層
が設けられてもよい。さらに、第１の電極層の第３の方向の幅は、第１の構造体の第３の
方向の幅より小さく、第２の電極層の第３の方向の幅は、第２の構造体の第３の方向の幅
より小さくしてもよい。
【００１７】
また、第１の電極層、第１の構造体、第２の電極層、第２の構造体および第３の電極層
は透光性を有することが好ましい。
【００１８】
また、第１の構造体および第２の構造体の側面は第１の基板に対して傾いて設けられて
いることが好ましい。また、複数の第１の構造体および第１の電極層、並びに複数の第２
の構造体および第２の電極層、並びに第３の電極層は、それぞれ櫛歯状に設けられている
ことが好ましい。
【００１９】
また、開示する発明の他の一態様は、第１の基板に設けられた、第１の方向の偏光軸を
有する第１の偏光板と、第２の基板に設けられた、第１の方向と直交する第２の方向の偏
光軸を有する第２の偏光板と、第１の基板と第２の基板の間に挟持された液晶層と、第１
の基板の液晶層側の面から液晶層中に突出して設けられた、複数の第１の構造体と、第１
の基板の液晶層側の面から液晶層中に突出して設けられた、複数の第２の構造体と、第２
の基板の液晶層側の面から液晶層中に突出し、且つ少なくとも一部が複数の第２の構造体
と重畳して設けられた、複数の第３の構造体と、複数の第１の構造体の上面および側面を
覆う第１の電極層と、複数の第２の構造体の上面および側面を覆う第２の電極層と、複数
の第３の構造体の下面および側面を覆う第３の電極層と、第１の構造体の側面、第２の構
造体の側面および第３の構造体の側面は、第１の方向または第２の方向に平行に設けられ
ており、第１の電極層と第２の電極層の間の液晶層に生じる電界の向きが第１の方向と第
２の方向のなす角を等分にする第３の方向となり、第１の電極層と第３の電極層の間の液
晶層に生じる電界の平面方向の成分の向きが第１の方向と第２の方向のなす角を等分にす
る第３の方向となる液晶表示装置である。
【００２０】
また、複数の第１の構造体は、第３の方向に直交するように配列して設けられ、複数の
第２の構造体は、複数の第１の構造体からなる列と一定の間隔で対向して、第３の方向に
直交するように配列して設けられ、複数の第３の構造体は、少なくとも一部が複数の第２
の構造体と重畳して、第３の方向に直交するように配列して設けられ、第１の電極層と第
２の電極層は、一定の間隔で対向して第３の方向に直交するように設けられ、第３の電極
層は、少なくとも一部が第２の電極層と重畳して、第３の方向に直交するように設けられ
ることが好ましい。また、第１の構造体、第２の構造体および第３の構造体の底面は略正
方形状としてもよい。
【００２１】
また、第１の電極層、第１の構造体、第２の電極層、第２の構造体、第３の電極層およ
び第３の構造体は透光性を有することが好ましい。
【００２２】
また、第１の構造体および第２の構造体の側面は第１の基板に対して傾いて設けられ、
第３の構造体の側面は第２の基板に対して傾いて設けられていることが好ましい。また、
複数の第１の構造体および第１の電極層、並びに複数の第２の構造体および第２の電極層
、並びに複数の第３の構造体および第３の電極層は、それぞれ櫛歯状に設けられているこ
とが好ましい。
【００２３】
また、液晶層はブルー相を示す液晶材料を含むことが好ましい。また、第１の基板と、
第１の電極層との間に薄膜トランジスタが設けられ、第１の電極層は薄膜トランジスタの
ソース電極またはドレイン電極と電気的に接続していてもよい。
【００２４】
また、本明細書等において「電極」や「配線」という用語は、これらの構成要素を機能
的に限定するものではない。例えば、「電極」は「配線」の一部として用いられることが
あり、その逆もまた同様である。さらに、「電極」や「配線」という用語は、複数の「電
極」や「配線」が一体となって形成されている場合なども含む。
【００２５】
また、「ソース」や「ドレイン」の機能は、異なる極性のトランジスタを採用する場合
や、回路動作において電流の方向が変化する場合などには入れ替わることがある。このた
め、本明細書においては、「ソース」や「ドレイン」の用語は、入れ替えて用いることが
できるものとする。
【００２６】
なお、本明細書等において、「電気的に接続」には、「何らかの電気的作用を有するも
の」を介して接続されている場合が含まれる。ここで、「何らかの電気的作用を有するも
の」は、接続対象間での電気信号の授受を可能とするものであれば、特に制限を受けない
。
【００２７】
例えば、「何らかの電気的作用を有するもの」には、電極や配線をはじめ、トランジス
タなどのスイッチング素子、抵抗素子、インダクタ、キャパシタ、その他の各種機能を有
する素子などが含まれる。
【００２８】
なお、本明細書などにおいて、方向と記載する場合、ある一定の方向のみでなく、当該
一定の方向から１８０°回転した方向、つまり、当該一定の方向の反対の方向も含むもの
とする。また本明細書などにおいて、平行と記載する場合、厳密に平行な方向のみでなく
、平行方向から±１０°以内の状態を含むものとし、直交と記載する場合、厳密に直交す
る方向のみでなく、直交方向から±１０°以内の状態を含むものとし、垂直と記載する場
合、厳密に垂直な方向のみでなく、垂直方向から±１０°以内の状態を含むものとする。
また本明細書等において、角を等分すると記載する場合、厳密に角を等分するだけでなく
、±１０°以内でずれて角を分割する状態も含むものとする。また本明細書などにおいて
、直角と記載する場合、厳密に直角な角度のみでなく、厳密に直角な角度から±１０°以
内の状態を含むものとする。
【発明の効果】
【００２９】
横電界モードを用いた液晶表示装置、特にブルー相を示す液晶を用いた液晶表示装置に
おいて、黒表示を行う画素で生じる光漏れを低減し、コントラスト比の向上を図る液晶表
示装置を提供することができる。また、横電界モードを用いた液晶表示装置、特にブルー
相を示す液晶を用いた液晶表示装置において、白表示を行う画素における透過率を向上さ
せ、コントラスト比の向上を図る液晶表示装置を提供することができる。
【図面の簡単な説明】
【００３０】
【図１】本発明の一態様に係る液晶表示装置を説明する断面図および平面図。
【図２】従来例の液晶表示装置を説明する断面図および平面図。
【図３】黒表示を行う画素における光漏れのメカニズムを説明する模式図。
【図４】本発明の一態様に係る液晶表示装置を説明する平面図。
【図５】本発明の一態様に係る液晶表示装置を説明する平面図。
【図６】本発明の一態様に係る液晶表示装置を説明する断面図および平面図。
【図７】本発明の一態様に係る液晶表示装置を説明する断面図および平面図。
【図８】本発明の一態様に係る液晶表示装置を説明する断面図および平面図。
【図９】本発明の一態様に係る液晶表示装置を説明する平面図。
【図１０】本発明の一態様に係る液晶表示装置を用いた電子機器を説明する図。
【発明を実施するための形態】
【００３１】
本発明の実施の形態について、図面を用いて詳細に説明する。但し、本発明は以下の説
明に限定されず、本発明の趣旨及びその範囲から逸脱することなくその形態及び詳細を様
々に変更し得ることは当業者であれば容易に理解される。従って、本発明は以下に示す実
施の形態の記載内容に限定して解釈されるものではない。なお、以下に説明する本発明の
構成において、同一部分または同様な機能を有する部分には同一の符号を異なる図面間で
共通して用い、その繰り返しの説明は省略する。
【００３２】
なお、本明細書で説明する各図において、各構成の大きさ、層の厚さ、または領域は、
明瞭化のために誇張されている場合がある。よって、必ずしもそのスケールに限定されな
い。
【００３３】
また、本明細書等にて用いる第１、第２、第３などの用語は、構成要素の混同を避ける
ために付したものであり、数的に限定するものではない。そのため、例えば、「第１の」
を「第２の」または「第３の」などと適宜置き換えて説明することができる。
【００３４】
（実施の形態１）
本実施の形態では、本発明の一態様に係る液晶表示装置について、図１乃至図５を用い
て説明する。
【００３５】
まず、図１（Ａ）乃至図１（Ｄ）を用いて本発明の一態様に係る液晶表示装置について
説明する。図１（Ａ）に本発明の一態様に係る液晶表示装置の平面を示し、図１（Ｂ）乃
至図１（Ｄ）に本発明の一態様に係る液晶表示装置の断面を示す。ここで、図１（Ｂ）に
示す断面図は、図１（Ａ）の破線Ａ−Ｂに対応しており、図１（Ｃ）に示す断面図は、図
１（Ａ）の破線Ｃ−Ｄに対応しており、図１（Ｄ）に示す断面図は、図１（Ａ）の破線Ｅ
−Ｆに対応している。なお図面の理解を容易にするために、図１（Ａ）において、第２の
電極層１２２と重畳する第３の電極層１２３などを省略している。
【００３６】
図１（Ａ）乃至図１（Ｄ）に示す液晶表示装置は、第１の基板１００に設けられた第１
の偏光板１０４と、第２の基板１０２に設けられた第２の偏光板１０６と、第１の基板１
００の液晶層１０８側の面から液晶層１０８中に突出して設けられた複数の第１の構造体
１１０と、第１の基板１００の液晶層１０８側の面から液晶層１０８中に突出して設けら
れた複数の第２の構造体１１２と、複数の第１の構造体１１０の上面および側面を覆う第
１の電極層１２０と、複数の第２の構造体１１２の上面および側面を覆う第２の電極層１
２２と、第２の基板１０２の液晶層１０８側の面に、少なくとも一部が第２の電極層１２
２と重畳するように設けられた第３の電極層１２３と、第１の基板１００と第２の基板１
０２の間に挟持され、第１の電極層１２０および第２の電極層１２２に接して設けられた
液晶層１０８と、を有する。
【００３７】
ここで、第１の偏光板１０４は、図１（Ａ）に示す第１の方向１３０の偏光軸を有し、
第２の偏光板１０６は、図１（Ａ）に示す第１の方向１３０と直交する第２の方向１３２
の偏光軸を有する。なお本明細書などにおいて、偏光軸とは、偏光板などの偏光子を通過
した光が変換される直線偏光の振動方向のことを指す。また本明細書などにおいて、方向
と記載する場合、ある一定の方向のみでなく、当該一定の方向から１８０°回転した方向
、つまり、当該一定の方向の反対の方向も含むものとする。また本明細書などにおいて、
平行と記載する場合、厳密に平行な方向のみでなく、平行方向から±１０°以内の状態を
含むものとし、直交と記載する場合、厳密に直交する方向のみでなく、直交方向から±１
０°以内の状態を含むものとする。
【００３８】
さらに、第１の構造体１１０の側面と第１の電極層１２０の界面および第２の構造体１
１２の側面と第２の電極層１２２の界面は、図１（Ａ）に示す第１の方向１３０または第
２の方向１３２に平行になるように設けられている。また、第１の電極層１２０と第２の
電極層１２２は、第１の電極層１２０と第２の電極層１２２の間の液晶層１０８に生じる
電界の向きが、図１（Ａ）に示すように、第１の方向１３０と第２の方向１３２のなす角
を等分にする第３の方向１３４となるように設けられる。また、第１の電極層１２０と第
３の電極層１２３は、第１の電極層１２０と第３の電極層１２３の間の液晶層１０８に生
じる電界の平面方向の成分の向きが、図１（Ａ）に示すように、第１の方向１３０と第２
の方向１３２のなす角を等分にする第３の方向１３４となるように設けられる。なお本明
細書等において、角を等分すると記載する場合、厳密に角を等分するだけでなく、±１０
°以内でずれて角を分割する状態も含むものとする。
【００３９】
本実施の形態に示す液晶表示装置は、以上のような構造を有する、横電界モードを用い
た透過型の液晶表示装置であり、特に本実施の形態では液晶層１０８としてブルー相を示
す液晶材料を用いるものとする。横電界モードは、図１（Ａ）および図１（Ｂ）に示すよ
うに、第１の基板１００に平行な成分を有する電界を、第１の電極層１２０と第２の電極
層１２２の間の液晶層１０８、および第１の電極層１２０と第３の電極層１２３の間の液
晶層１０８において第３の方向１３４の向きに生じさせる表示方式である。
【００４０】
本実施の形態に示す液晶表示装置は、第１の基板１００の液晶層１０８側の面から液晶
層１０８中に突出した第１の構造体１１０の側面および上面を覆うように第１の電極層１
２０を設け、第１の基板１００の液晶層１０８側の面から液晶層１０８中に突出した第２
の構造体１１２の側面および上面を覆うように第２の電極層１２２を設けている。よって
、図１（Ｂ）に示すように第１の構造体１１０および第２の構造体１１２の第１の基板１
００を基準とした高さ（膜厚）に応じて、第１の電極層１２０と第２の電極層１２２の間
に生じる電界を液晶層１０８の層の厚さ方向に３次元的に拡大することができる。これに
より、第１の構造体１１０および第２の構造体１１２を設けていない場合と比較して、液
晶層１０８の層の厚さ方向の広い範囲に電界を印加することができるので、白透過率を向
上させ、コントラスト比の向上を図ることができる。
【００４１】
さらに、本実施の形態に示す液晶表示装置は、第２の基板１０２の液晶層１０８側の面
に、少なくとも一部が第２の電極層１２２と重畳するように第３の電極層１２３を設けて
いる。よって、図１（Ｂ）に示すように第１の電極層１２０と第２の電極層１２２の間に
電界が生じることに加えて、第１の電極層１２０と第３の電極層１２３の間にも、第１の
基板１００に対して傾いて電界が生じる。このとき、図１（Ａ）に示すように、第１の電
極層１２０と第３の電極層１２３の間に生じる電界の平面方向の成分は第３の方向１３４
の向きとなる。よって、第１の電極層１２０と第２の電極層１２２の間に生じる３次元的
に拡大された電界を、液晶層１０８の層の厚さ方向に３次元的にさらに拡大することがで
きる。これにより、第３の電極層１２３を設けていない場合と比較して、液晶層１０８の
層の厚さ方向の広い範囲に電界を印加することができるので、白透過率を向上させ、コン
トラスト比の向上を図ることができる。
【００４２】
また、以上のような電極構造とすることで液晶層１０８の広範囲に効率的に電界を印加
することができるので、液晶層１０８に粘度の高いブルー相を示す液晶材料を用いた場合
でも、比較的低い電圧で液晶分子を駆動させることができ、液晶表示装置の低消費電力化
を図ることができる。
【００４３】
以下に本実施の形態に示す表示装置の各構造について詳細を示す。
【００４４】
第１の基板１００および第２の基板１０２は、透光性を有する基板を用いることができ
る。例えば、ガラス基板、セラミックス基板などを用いることができる。また、第１の基
板１００および第２の基板１０２として、プラスチック基板などの、透光性と可撓性を有
する基板を用いることができる。プラスチック基板としては、ＦＲＰ（Ｆｉｂｅｒｇｌａ
ｓｓ−Ｒｅｉｎｆｏｒｃｅｄ  Ｐｌａｓｔｉｃｓ）板、ＰＶＦ（ポリビニルフルオライド
）フィルム、ポリエステルフィルムまたはアクリル樹脂フィルムを用いることができる。
また、アルミニウムホイルをＰＶＦフィルムやポリエステルフィルムで挟んだ構造のシー
トを用いることもできる。
【００４５】
第１の偏光板１０４および第２の偏光板１０６は、自然光や円偏光から直線偏光を作り
出すことができるものであれば特に限定されないが、例えば、二色性の物質を一定方向に
そろえて配置することで、光学的な異方性を持たせたものを用いることができる。このよ
うな偏光板は、例えば、ヨウ素系の化合物などをポリビニルアルコールなどのフィルムに
吸着させ、これを一方向に延伸することで作製することができる。なお、二色性の物質と
しては、ヨウ素系の化合物のほか、染料系の化合物などが用いられる。
【００４６】
第１の偏光板１０４および第２の偏光板１０６は、上述のように、第１の偏光板１０４
の偏光軸が第１の方向１３０に向くように、第２の偏光板１０６の偏光軸は第１の方向１
３０と直交する第２の方向１３２に向くように第１の基板１００および第２の基板１０２
に設けられる。なお、図１（Ｂ）では、第１の偏光板１０４および第２の偏光板１０６を
第１の基板１００および第２の基板１０２の液晶層１０８とは反対側、つまり、第１の基
板１００および第２の基板１０２の外側に設けた例を示したが、本実施の形態に示す液晶
表示装置はこれに限られるものではない。例えば、第１の偏光板１０４および第２の偏光
板１０６を第１の基板１００および第２の基板１０２の液晶層１０８と同じ側、つまり、
第１の基板１００および第２の基板１０２の内側に設けてもよい。
【００４７】
第１の構造体１１０および第２の構造体１１２は、図１（Ａ）乃至図１（Ｄ）に示すよ
うに、第１の基板１００の液晶層１０８側の面から液晶層１０８中に突出して設けられ、
且つその側面が第１の方向または第２の方向に平行に設けられている構造体である。言い
換えると、第１の構造体１１０および第２の構造体１１２は、底面が略正方形状である柱
状の構造体であると言うこともできる。第１の構造体１１０および第２の構造体１１２の
第１の基板１００を基準とした高さ（膜厚）は、５００ｎｍ乃至５０００ｎｍとすること
が好ましい。
【００４８】
このように、第１の構造体１１０を形成することにより、第１の構造体１１０の側面に
おける第１の構造体１１０と第１の電極層１２０の界面、および第１の電極層１２０と液
晶層１０８との界面を、第１の方向１３０または第２の方向１３２に平行にして設けるこ
とができる。これにより、第１の構造体１１０、第１の電極層１２０および液晶層１０８
の屈折率の違いにより生じる複屈折を抑制することができるので、黒表示を行う画素で生
じる光漏れを低減し、コントラスト比の向上を図ることができる。当然のことながら、第
２の構造体１１２、第２の電極層１２２および液晶層１０８についても同様のことが言え
る。なお、上記の複屈折を抑制し、黒表示を行う画素で生じる光漏れを低減するメカニズ
ムの詳細については、後ほど図３を用いて説明する。
【００４９】
また、第１の構造体１１０および第２の構造体１１２は、可視光に対して透光性を有す
る材料を用いて形成すればよく、透光性を有する絶縁性材料（有機材料及び無機材料）、
または透光性を有する導電性材料（有機材料及び無機材料）を用いて形成することができ
る。代表的には可視光硬化性、紫外線硬化性または熱硬化性の樹脂を用いるのが好ましい
。例えば、アクリル樹脂、ポリイミド、ベンゾシクロブテン樹脂、ポリアミド、エポキシ
樹脂、アミン樹脂などを用いることができる。また、透光性を有する導電性樹脂などで形
成してもよい。なお、第１の構造体１１０および第２の構造体１１２は複数の薄膜の積層
構造であってもよい。このように第１の構造体１１０および第２の構造体１１２を、可視
光に対して透光性を有する材料を用いて形成することにより、液晶表示装置の開口率の向
上を図ることができる。
【００５０】
また、第１の構造体１１０および第２の構造体１１２の形成方法は特に限定されず、材
料に応じて、蒸着法、スパッタリング法、ＣＶＤ法などの乾式法、又はスピンコート、デ
ィップ、スプレー塗布、液滴吐出法（インクジェット法）、ナノインプリント、各種印刷
法（スクリーン印刷、オフセット印刷）等などの湿式法を用い、必要に応じてエッチング
法（ドライエッチング又はウエットエッチング）により所望のパターンに加工すればよい
。例えば感光性の有機樹脂にフォトリソグラフィ工程を行って第１の構造体１１０および
第２の構造体１１２を形成することができる。
【００５１】
また、第１の構造体１１０および第２の構造体１１２の側面は、第１の基板１００に対
して傾いて設けられている、所謂テーパー形状としてもよい。このように、第１の構造体
１１０および第２の構造体１１２の側面をテーパー形状とすることにより、第１の構造体
１１０および第２の構造体１１２の側面を覆うように形成される第１の電極層１２０およ
び第２の電極層１２２の被覆性を良好なものとすることができる。
【００５２】
また、第１の構造体１１０および第２の構造体１１２の上面は、平坦にしてもよいし、
錐形にしてもよい。また、第１の構造体１１０および第２の構造体１１２の上面から側面
にかけて曲面を有するような構造としても良い。このように、第１の構造体１１０および
第２の構造体１１２の上面から側面にかけて曲面を有するような形状とすることにより、
第１の構造体１１０および第２の構造体１１２の上面を覆うように形成される第１の電極
層１２０および第２の電極層１２２の被覆性を良好なものとすることができる。
【００５３】
また、第１の基板１００上に層間膜を成膜し、当該層間膜の一部をパターニングして、
上述の複数の第１の構造体１１０の上面及び側面、並びに、複数の第２の構造体１１２の
上面及び側面と同様の形状にしてもよい。このように複数の第１の構造体１１０と複数の
第２の構造体１１２とを同一の層間膜に連続して形成された構造体としても良い。
【００５４】
また、図１（Ａ）に示すように、複数の第１の構造体１１０は、第３の方向１３４に直
交するように配列して設けられ、複数の第２の構造体１１２は、複数の第１の構造体１１
０からなる列と一定の間隔で対向して、第３の方向１３４に直交するように配列して設け
られる。第１の電極層１２０は複数の第１の構造体１１０の上面および側面を覆って設け
られ、第２の電極層１２２は複数の第２の構造体１１２の上面および側面を覆って設けら
れるので、第１の電極層１２０と第２の電極層１２２は、一定の間隔で対向して第３の方
向１３４に直交するように設けられる。ここで、第１の電極層１２０と第２の電極層１２
２の間隔は、液晶層１０８に印加する電圧に応じて適宜設定することができる。
【００５５】
また、図１（Ｂ）および図１（Ｄ）に示すように、第３の電極層１２３は、第２の電極
層１２２と重畳するように設けられ、第３の方向１３４と直交するように設けられること
が好ましい。なお、図１（Ｂ）に示すように、必ずしも第３の電極層１２３と第２の電極
層１２２の端部が一致するように重畳させる必要はなく、少なくとも第３の電極層１２３
の一部が第２の電極層１２２の一部と重畳するようにすればよい。例えば、第２の電極層
１２２の中央部と第３の電極層１２３の一部とが重畳するようにすればよく、その際、第
３の電極層１２３の端部は、第２の電極層１２２の端部の外側に位置していてもよいし、
第２の電極層１２２の端部の内側に位置していてもよい。ここで、第１の電極層１２０と
第３の電極層１２３の平面方向の間隔は、液晶層１０８に印加する電圧に応じて適宜設定
することができる。
【００５６】
このように、第１の構造体１１０、第２の構造体１１２、第１の電極層１２０、第２の
電極層１２２および第３の電極層１２３を配列して設けることにより、図１（Ａ）に示す
ように、第１の電極層１２０と第２の電極層１２２の間、および第１の電極層１２０と第
３の電極層１２３の間に、第３の方向１３４と平行に電界を生じさせることができる。特
に、第３の電極層１２３の形状を第２の電極層とほぼ同一とし、第３の電極層１２３を第
２の電極層１２２と端部を揃えて重畳させた場合、第１の電極層１２０と第２の電極層１
２２の間に生じる電界の方向と、第１の電極層１２０と第３の電極層１２３の間に生じる
電界の方向と、をより正確に第３の方向１３４に揃えることができる。以上により、液晶
層１０８に電界が生じると液晶層中の液晶分子は長軸方向が第３の方向１３４を向くよう
に配列される。
【００５７】
ここで、第３の方向１３４は、第１の方向１３０と第２の方向１３２のなす角を等分に
した方向なので、長軸方向が第３の方向１３４を向くように配列された当該液晶分子中を
通過した偏光の振動は、第１の方向１３０の偏光成分と第２の方向１３２の偏光成分を有
する。よって、第１の方向１３０の偏光軸を有する第１の偏光板１０４を通過して直線偏
光に変換された光が、液晶層１０８で第１の方向１３０の偏光成分と第２の方向１３２の
偏光成分を有する円偏光、楕円偏光または直線偏光に変換されるので、第２の方向１３２
の偏光軸を有する第２の偏光板１０６を通過して光が射出される。逆に言うと、液晶層１
０８に生じる電界の向きが第１の方向１３０または第２の方向１３２に平行の場合は、第
１の偏光板１０４を通過して直線偏光に変換された光が偏光性を変えることなく第２の偏
光板１０６に入射するので、第２の偏光板１０６をほとんど通過することができない。
【００５８】
以上のようにして、第１の構造体１１０、第２の構造体１１２、第１の電極層１２０、
第２の電極層１２２および第３の電極層１２３を配列して設けることにより、液晶層１０
８に電界を印加したとき、つまり画素の白表示を行うときに、液晶表示装置の白透過率を
向上させてコントラスト比を向上させることができる。
【００５９】
第１の電極層１２０と第２の電極層１２２は、一方が画素電極として機能し、他方が共
通電極として機能すれば良く、本実施の形態では、第１の電極層１２０が画素電極として
機能し、第２の電極層１２２が共通電極として機能するものとする。よって、第１の電極
層１２０と第２の電極層１２２は、互いに接することのないように設けられる。なお、本
明細書における図面においては、図１に示すように、第１の電極層１２０と第２の電極層
１２２とを判別しやすいように異なるハッチで示している。これは機能が異なる電極層と
いうことを明確に示すためであり、第１の電極層１２０と第２の電極層１２２とは同工程
及び同材料によって形成することができる。
【００６０】
また、第３の電極層１２３は、共通電極として機能すればよく、本実施の形態では、第
２の電極層１２２と第３の電極層１２３が共通電極として機能するものとする。
【００６１】
また、第１の電極層１２０、第２の電極層１２２および第３の電極層１２３は、可視光
に対して透光性を有する導電性材料を用いて形成すればよい。例えば、インジウム錫酸化
物（ＩＴＯ）、酸化インジウムに酸化亜鉛（ＺｎＯ）を混合した導電材料（ｉｎｄｉｕｍ
ｚｉｎｃ  ｏｘｉｄｅ）、酸化インジウムに酸化珪素（ＳｉＯ２）を混合した導電材料
、有機インジウム、有機スズ、酸化タングステンを含むインジウム酸化物、酸化タングス
テンを含むインジウム亜鉛酸化物、酸化チタンを含むインジウム酸化物、酸化チタンを含
むインジウム錫酸化物などの導電性酸化物を用いることができる。透光性を有する導電膜
として光が透過する程度の膜厚（好ましくは、５ｎｍ〜３０ｎｍ程度）の金属膜を用いる
ことができる。例えば、タングステン（Ｗ）、モリブデン（Ｍｏ）、ジルコニウム（Ｚｒ
）、ハフニウム（Ｈｆ）、バナジウム（Ｖ）、ニオブ（Ｎｂ）、タンタル（Ｔａ）、クロ
ム（Ｃｒ）、コバルト（Ｃｏ）、ニッケル（Ｎｉ）、チタン（Ｔｉ）、白金（Ｐｔ）、ア
ルミニウム（Ａｌ）、銅（Ｃｕ）、銀（Ａｇ）等の金属、又はその合金、若しくはその金
属窒化物から一つ、又は複数種を用いて形成することができる。このように第１の電極層
１２０、第２の電極層１２２および第３の電極層１２３を、可視光に対して透光性を有す
る導電性材料を用いて形成することにより、液晶表示装置の開口率の向上を図ることがで
きる。
【００６２】
また、第１の電極層１２０および第２の電極層１２２の膜厚は、２０ｎｍ以上１５０ｎ
ｍ以下とすることが好ましく、２０ｎｍ以上５０ｎｍ以下とすることがより好ましい。こ
のような膜厚とすることにより、第１の構造体１１０と第１の電極層１２０との界面また
は第１の電極層１２０と液晶層１０８との界面、および第２の構造体１１２と第２の電極
層１２２との界面または第２の電極層１２２と液晶層１０８との界面で生じる複屈折をよ
り低減し、黒表示の際の光漏れをさらに抑制することができる。また、第３の電極層１２
３の膜厚も同様に２０ｎｍ以上１５０ｎｍ以下としてもよい。
【００６３】
また、第１の電極層１２０と第１の構造体１１０の屈折率は可能な限り近い方が好まし
く、例えば、第１の電極層１２０の第１の構造体１１０に対する屈折率の比は０．５乃至
１．５とすることが好ましい。また、第２の電極層１２２と第２の構造体１１２の屈折率
は可能な限り近い方が好ましく、例えば、第２の電極層１２２の第２の構造体１１２に対
する屈折率の比は０．５乃至１．５とすることが好ましい。さらに、第１の電極層１２０
、第１の構造体１１０、第２の電極層１２２、第２の構造体１１２および液晶層１０８の
屈折率が可能な限り近い方が好ましい。
【００６４】
特に第１の電極層１２０および第２の電極層１２２にＩＴＯのような屈折率１．６以上
の高屈折率を有する導電性材料を用いる場合、第１の構造体１１０および第２の構造体１
１２として酸化チタンを分散させた樹脂のような屈折率１．６以上の高屈折率を有する材
料を用いることが好ましい。
【００６５】
このように、第１の電極層１２０、第１の構造体１１０、第２の電極層１２２、第２の
構造体１１２および液晶層１０８の屈折率を近づけることにより、第１の構造体１１０と
第１の電極層１２０との界面または第１の電極層１２０と液晶層１０８との界面、および
第２の構造体１１２と第２の電極層１２２との界面または第２の電極層１２２と液晶層１
０８との界面で生じる複屈折をより低減し、黒表示の際の光漏れをさらに抑制することが
できる。
【００６６】
また、上述のように、第１の電極層１２０と第２の電極層１２２は、一定の間隔で対向
して設けられるので、第１の電極層１２０と第２の電極層１２２の間には開口パターンが
形成される。白表示において、射出される光の多くはこの開口パターンを通過した光であ
る。
【００６７】
液晶表示装置の画素領域内における、第１の電極層１２０および第２の電極層１２２の
平面形状としては、第１の電極層１２０と第２の電極層１２２とが対向する部分が大きく
なるように、それぞれの電極層が閉空間を形成しない開かれた形状であり、第１の電極層
１２０と第２の電極層１２２とが互いに入り組むような形状とすることが好ましい。この
とき、第３の電極層１２３の平面形状も、第１の電極層１２０と第３の電極層１２３とが
対向する部分が大きくなるように、それぞれの電極層が閉空間を形成しない開かれた形状
であり、第１の電極層１２０と第３の電極層１２３とが互いに入り組むような形状とする
ことが好ましい。つまり、第３の電極層１２３は第２の電極層１２２とほぼ同一の平面形
状とすればよい。例えば、第１の電極層１２０および第２の電極層１２２の平面形状とし
ては、それぞれ櫛歯状のパターンとし、互いに櫛歯状のパターンが噛み合うように設けれ
ばよく、第３の電極層１２３は、第２の電極層１２２とほぼ同一の平面形状で設ければよ
い。
【００６８】
また、液晶層１０８に生じさせる電界の向き、第３の方向１３４は、図１（Ａ）では、
破線Ａ−Ｂに平行な方向としているが、これに限られるものではない。第３の方向１３４
は、破線Ａ−Ｂに直交する方向にしても、第１の方向１３０と第２の方向１３２のなす角
を等分にすることができる。つまり、第３の方向１３４は互いに直交する２種類の方向に
取りうる。よって、第１の電極層１２０および第２の電極層１２２、並びに第１の電極層
１２０および第３の電極層１２３の平面形状を互いに噛み合う櫛歯状のパターンとする場
合、直線状のパターンだけでなく、屈曲部や枝分かれした形状を含めることもできる。
【００６９】
なお、図１（Ａ）および図１（Ｂ）では、第１の電極層１２０、第２の電極層１２２お
よび第３の電極層１２３は第３の方向１３４に直交する方向に延伸され、第１の電極層１
２０を２本の第２の電極層１２２が挟み込むように設けられているが、これに限られるこ
となく、例えば、第１の電極層１２０および第２の電極層１２２、並びに第１の電極層１
２０および第３の電極層１２３が互いに噛み合うような櫛歯状のパターン形状とすること
ができる。
【００７０】
また当然のことながら、上述の第１の電極層１２０と第２の電極層１２２の平面形状に
合わせて複数の第１の構造体１１０および複数の第２の構造体１１２を設けることになる
。
【００７１】
なお、第１の構造体および第２の構造体の配列は図１（Ａ）に示す配列に限られるもの
ではない。以下に図４（Ａ）乃至図４（Ｃ）、図５（Ａ）および図５（Ｂ）に示す、本実
施の形態の一態様に係る液晶表示装置の平面図を用いて、第１の構造体および第２の構造
体の配列の例を説明する。なお、図４（Ａ）乃至図４（Ｃ）、図５（Ａ）および図５（Ｂ
）においては、理解を容易にするために第１の電極層１２０および第２の電極層１２２を
破線で示している。
【００７２】
本実施の形態では、図１（Ａ）、図１（Ｃ）、および図１（Ｄ）に示すように、第１の
構造体１１０および第２の構造体１１２を第１の電極層１２０および第２の電極層１２２
に沿って隣接して配列させているが、本発明の一態様に係る液晶表示装置はこれに限られ
るものではなく、第１の構造体１１０および第２の構造体１１２を配列する間隔は適宜設
定することができる。例えば、図４（Ａ）に示すように、第１の構造体１１０および第２
の構造体１１２をそれぞれ離間させて配列させることもできる。
【００７３】
また、図４（Ｂ）に示すように、図１（Ａ）で示した第１の構造体１１０および第２の
構造体１１２の端部を接続させた形状の第１の構造体１８０および第２の構造体１８２を
設けてもよい。
【００７４】
また、図４（Ｃ）に示すように、図１（Ａ）で示した第１の構造体１１０および第２の
構造体１１２の底面の角部、および第１の構造体１１０および第２の構造体１１２の上面
と底面の間に形成される角部を円弧状に面取りし、端部で接続された形状の第１の構造体
１９０および第２の構造体１９２を設けてもよい。特に、第１の構造体および第２の構造
体を可視光硬化性、紫外線硬化性樹脂などの感光性有機物を用いたフォトリソグラフィで
形成する場合、角部が円弧状に面取りされた形状を容易に形成することができる。ただし
、当該面取り部を大きくしすぎると、黒表示を行う画素で光漏れが生じる恐れがあるので
注意が必要である。
【００７５】
また、本実施の形態では、図１（Ａ）、図１（Ｃ）、および図１（Ｄ）に示すように、
複数の第１の構造体１１０の大きさを一定とし、複数の第２の構造体１１２の大きさを一
定にしたが、本発明の一態様に係る液晶表示装置はこれに限られるものではなく、複数の
第１の構造体１１０の大きさを異なるものとしても良いし、複数の第２の構造体１１２の
大きさを異なるものとしても良い。例えば、図５（Ａ）に示すように、第１の構造体１１
０ａと第１の構造体１１０ａより小さい大きさの第１の構造体１１０ｂを交互に配列させ
、第２の構造体１１２ａと第２の構造体１１２ａより小さい大きさの第２の構造体１１２
ｂを交互に配列させる構成としても良い。
【００７６】
また、本実施の形態では、図１（Ａ）および図１（Ｂ）に示すように、第１の構造体１
１０と第２の構造体１１２が、第１の電極層１２０と第２の電極層１２２の中間点を結ぶ
ように引かれた直線に対して線対称となるように設けられたが、本発明の一態様に係る液
晶表示装置はこれに限られるものではない。例えば、図５（Ｂ）に示すように、第１の構
造体１１０と第２の構造体１１２が、第１の電極層１２０と第２の電極層１２２の中間点
を結ぶように引かれた直線に対して互い違いに設けられる構成としても良い。
【００７７】
それから、液晶層１０８としては、横電界モードで使用可能な液晶材料を用いればよく
、好ましくは、ブルー相を示す液晶材料を用いる。ブルー相を示す液晶材料は、応答速度
が１ｍｓｅｃ以下と短く高速応答が可能であるため、液晶表示装置の高性能化が可能にな
る。
【００７８】
例えば、高速応答が可能であるため、バックライト装置にＲＧＢの発光ダイオード（Ｌ
ＥＤ）等を配置し、時分割によりカラー表示する継時加法混色法（フィールドシーケンシ
ャル法）や、時分割により左目用、右目用の映像を交互に表示させる３次元表示方式に好
適に採用できる。
【００７９】
ブルー相を示す液晶材料は、液晶及びカイラル剤を含む。カイラル剤は、液晶を螺旋構
造に配向させ、ブルー相を発現させるために用いる。例えば、５重量％以上のカイラル剤
を混合させた液晶材料を液晶層に用いればよい。
【００８０】
液晶は、サーモトロピック液晶、低分子液晶、高分子液晶、強誘電液晶、反強誘電液晶
等を用いる。
【００８１】
カイラル剤は、液晶に対する相溶性が良く、かつ捩れ力の強い材料を用いる。また、Ｒ
体、Ｓ体のどちらか片方の材料が良く、Ｒ体とＳ体の割合が５０：５０のラセミ体は使用
しない。
【００８２】
上記液晶材料は、条件により、コレステリック相、コレステリックブルー相、スメクチ
ック相、スメクチックブルー相、キュービック相、カイラルネマチック相、等方相等を示
す。
【００８３】
ブルー相であるコレステリックブルー相及びスメクチックブルー相は、螺旋ピッチが５
００ｎｍ以下とピッチの比較的短いコレステリック相またはスメクチック相を有する液晶
材料にみられる。液晶材料の配向は二重ねじれ構造を有する。可視光の波長以下の秩序を
有しているため、液晶材料は透明であり、電圧印加によって配向秩序が変化して光学的変
調作用が生じる。ブルー相は光学的に等方であるため視野角依存性がなく、配向膜を形成
しなくとも良いため、表示画像の質の向上及びコスト削減が可能である。
【００８４】
また、ブルー相は狭い温度範囲でしか発現しないため、温度範囲を広く改善するために
液晶材料に、光硬化樹脂及び光重合開始剤を添加し、高分子安定化処理を行うことが好ま
しい。高分子安定化処理は、液晶、カイラル剤、光硬化樹脂、及び光重合開始剤を含む液
晶材料に、光硬化樹脂、及び光重合開始剤が反応する波長の光を照射して行う。この高分
子安定化処理は、温度制御を行い、等方相を示した状態で光照射して行っても良いし、ブ
ルー相を示した状態で光照射して行ってもよい。
【００８５】
例えば、液晶層の温度を制御し、ブルー相を発現した状態で液晶層に光を照射すること
により高分子安定化処理を行う。但し、これに限定されず、ブルー相と等方相間の相転移
温度から＋１０℃以内、好ましくは＋５℃以内の等方相を発現した状態で液晶層に光を照
射することにより高分子安定化処理を行ってもよい。ブルー相と等方相間の相転移温度と
は、昇温時にブルー相から等方相に転移する温度又は降温時に等方相からブルー相に相転
移する温度をいう。高分子安定化処理の一例としては、液晶層を等方相まで加熱した後、
徐々に降温させてブルー相にまで相転移させ、ブルー相が発現する温度を保持した状態で
光を照射することができる。他にも、液晶層を徐々に加熱して等方相に相転移させた後、
ブルー相と等方相間の相転移温度から＋１０℃以内、好ましくは＋５℃以内状態（等方相
を発現した状態）で光を照射することができる。また、液晶材料に含まれる光硬化樹脂と
して、紫外線硬化樹脂（ＵＶ硬化樹脂）を用いる場合、液晶層に紫外線を照射すればよい
。なお、ブルー相を発現させなくとも、ブルー相と等方相間の相転移温度から＋１０℃以
内、好ましくは＋５℃以内状態（等方相を発現した状態）で光を照射して高分子安定化処
理を行えば、応答速度が１ｍｓｅｃ以下と短く高速応答が可能である。
【００８６】
光硬化樹脂は、アクリレート、メタクリレートなどの単官能モノマーでもよく、ジアク
リレート、トリアクリレート、ジメタクリレート、トリメタクリレートなどの多官能モノ
マーでもよく、これらを混合させたものでもよい。また、液晶性のものでも非液晶性のも
のでもよく、両者を混合させてもよい。光硬化樹脂は、用いる光重合開始剤の反応する波
長の光で硬化する樹脂を選択すれば良く、代表的には紫外線硬化樹脂を用いることができ
る。
【００８７】
光重合開始剤は、光照射によってラジカルを発生させるラジカル重合開始剤でもよく、
酸を発生させる酸発生剤でもよく、塩基を発生させる塩基発生剤でもよい。
【００８８】
具体的には、液晶材料として、ＪＣ−１０４１ＸＸ（チッソ株式会社製）と４−シアノ
−４’−ペンチルビフェニルの混合物を用いることができ、カイラル剤としては、ＺＬＩ
−４５７２（メルク株式会社製）を用いることができ、光硬化樹脂は、２−エチルヘキシ
ルアクリレート、ＲＭ２５７（メルク株式会社製）、トリメチロールプロパントリアクリ
レートを用いることができ、光重合開始剤としては２，２−ジメトキシ−２−フェニルア
セトフェノンを用いることができる。
【００８９】
また、図１では図示しないが、位相差板、反射防止膜などの光学フィルムなどは適宜設
けることができる。また、カラーフィルタ層として機能する着色層を設けることができる
。また、光源としてバックライトなどを用いることができる。また、第１の基板１００と
液晶層１０８の間に、当該液晶表示装置を駆動するための素子層を適宜設けることができ
る。
【００９０】
次に、図１乃至図３を用いて、本発明の一態様に係る液晶表示装置において、黒表示を
行う画素で生じる光漏れが低減されるメカニズムについて説明する。
【００９１】
まず、図２（Ａ）乃至図２（Ｃ）を用いて、特許文献２に示されるような、従来の液晶
表示装置の構造について説明する。図２（Ａ）に従来例の液晶表示装置の平面を示し、図
２（Ｂ）および図２（Ｃ）に従来例の液晶表示装置の断面を示す。ここで、図２（Ｂ）に
示す断面図は、図２（Ａ）の破線Ａ−Ｂに対応しており、図２（Ｃ）に示す断面図は、図
２（Ａ）の破線Ｃ−Ｄに対応している。
【００９２】
図２（Ａ）乃至図２（Ｃ）に示す従来例の液晶表示装置は、第１の基板１００、第２の
基板１０２、第１の偏光板１０４、第２の偏光板１０６、液晶層１０８、第１の電極層１
２０および第２の電極層１２２を有する点において、図１（Ａ）乃至図１（Ｄ）に示す液
晶表示装置と同じである。図２に示す液晶表示装置が図１に示す液晶表示装置と大きく異
なる点は、第１の電極層１２０によって上面および側面を覆われる第１の構造体１４０と
、第２の電極層１２２によって上面および側面を覆われる第２の構造体１４２である。第
１の構造体１４０および第２の構造体１４２は、図１に示す複数の第１の構造体１１０お
よび複数の第２の構造体１１２と異なり、第３の方向１３４に直交するように延伸された
第１の電極層１２０および第２の電極層１２２に準じたリブ状の形状となっている。
【００９３】
図１に示す本発明の一態様に係る液晶表示装置では、複数の第１の構造体１１０および
複数の第２の構造体１１２の側面は第１の方向１３０または第２の方向１３２に平行にな
るように設けられていたのに対して、図２に示す従来例の液晶表示装置では、第１の構造
体１４０および第２の構造体１４２の側面は第３の方向１３４に直交するように設けられ
ている。
【００９４】
つまり、図２に示す従来例の液晶表示装置では、第１の構造体１４０の側面における第
１の電極層１２０との界面または第１の電極層１２０と液晶層１０８との界面、および第
２の構造体１４２の側面における第２の電極層１２２との界面または第２の電極層１２２
と液晶層１０８との界面は第３の方向１３４に直交するように設けられている。
【００９５】
ここで、図２に示す従来例の液晶表示装置において、第１の構造体１４０の側面におけ
る第１の電極層１２０との界面および第１の電極層１２０と液晶層１０８との界面を含む
領域１５０で黒表示の際に生じる光漏れのメカニズムについて、図３（Ａ）を用いて説明
する。
【００９６】
図３（Ａ）は、図２に示す従来例の液晶表示装置で黒表示を行う際に、第１の偏光板１
０４側から入射した光が領域１５０を透過して、第２の偏光板１０６も透過して光漏れが
生じる様子を表した模式図である。以下に入射光１６０が第１の偏光板１０４に入射して
、第２の偏光板１０６から射出光１６６が漏れる過程について説明する。
【００９７】
まず、入射光１６０が第１の方向１３０の偏光軸を有する第１の偏光板１０４に入射す
る。入射光１６０は、第１の方向１３０の偏光成分と第２の方向１３２の偏光成分を両方
有する可視光である。第１の偏光板１０４に入射した入射光１６０は、第２の方向１３２
の偏光成分を吸収されて、第１の方向１３０に振動する直線偏光（第１の偏光１６２）に
変換される。
【００９８】
次に、第１の偏光１６２は領域１５０に入射する。ここで、第１の偏光１６２を、第１
の構造体１４０の側面と第１の電極層１２０との界面または第１の電極層１２０と液晶層
１０８との界面に平行な成分（界面平行成分１６２ａ）および当該界面に垂直な成分（界
面垂直成分１６２ｂ）とに分解して考える。
【００９９】
すると、第１の偏光１６２のうち、界面平行成分１６２ａは、第１の構造体１４０の側
面と第１の電極層１２０との界面または第１の電極層１２０と液晶層１０８との界面をま
たがずに領域１５０を通過するのに対して、界面垂直成分１６２ｂは、当該界面をまたい
で領域１５０を通過する。
【０１００】
ここで、第１の電極層１２０の膜厚は可視光の波長より十分薄いので、第１の構造体１
４０、第１の電極層１２０および液晶層１０８の屈折率の違いによって、界面平行成分１
６２ａと界面垂直成分１６２ｂは異なる屈折率の影響を受ける。つまり、界面平行成分１
６２ａと界面垂直成分１６２ｂを有する第１の偏光１６２は複屈折を引き起こす。これに
より、界面垂直成分１６２ｂの速度と界面平行成分１６２ａの速度に違いが生じるので、
界面垂直成分１６２ｂと界面平行成分１６２ａに位相差が生じる。
【０１０１】
このように、領域１５０を通過して界面平行成分１６２ａと界面垂直成分１６２ｂに位
相差が生じることで、第１の偏光１６２は第２の偏光１６４に変換される。第２の偏光１
６４は、界面平行成分１６２ａと界面垂直成分１６２ｂに位相差が生じることにより、円
偏光または楕円偏光となる。これにより第２の偏光１６４は、第１の方向１３０の偏光成
分と第２の方向１３２の偏光成分を両方とも有する。
【０１０２】
最後に、第２の偏光１６４が第２の偏光板１０６に入射する。第２の偏光１６４の第１
の方向１３０の偏光成分は第２の偏光板１０６に吸収される。しかし、第２の偏光１６４
の第２の方向１３２の偏光成分は第２の偏光板１０６の偏光軸に平行な成分なので、第２
の偏光板１０６を通過してしまう。このように第２の偏光板１０６を通過して射出された
射出光１６６は、黒表示の際に生じる光漏れとして観察される。
【０１０３】
以上のようにして、図２に示す従来例の液晶表示装置において黒表示を行う際に、領域
１５０、つまり、第１の構造体１４０の側面と第１の電極層１２０との界面または第１の
電極層１２０と液晶層１０８との界面が第３の方向１３４に垂直である領域で光漏れが生
じることになる。なお、領域１５０は、第１の構造体１４０の側面と第１の電極層１２０
との界面または第１の電極層１２０と液晶層１０８との界面を含む領域だが、以上の議論
は、図２に示す従来例の液晶表示装置の、第２の構造体１４２の側面と第２の電極層１２
２との界面または第２の電極層１２２と液晶層１０８との界面を含む領域についてももち
ろん成り立つ。
【０１０４】
これに対して、図１に示す本発明の一態様に係る液晶表示装置では、第１の構造体１１
０の側面における第１の電極層１２０との界面または第１の電極層１２０と液晶層１０８
との界面が第１の方向１３０に平行な領域１５２と、当該界面が第２の方向１３２に平行
な領域１５４とを有する。
【０１０５】
このような構造を有する、図１に示す本発明の一態様に係る液晶表示装置において、領
域１５２および領域１５４で黒表示の際に生じる光漏れを低減するメカニズムについて、
図３（Ｂ）および図３（Ｃ）を用いて説明する。
【０１０６】
図３（Ｂ）は、図１に示す本発明の一態様に係る液晶表示装置で黒表示を行う際に、第
１の偏光板１０４側から入射した光が領域１５２を透過して、第２の偏光板１０６に吸収
される様子を表した模式図である。以下に入射光１６０が第１の偏光板１０４に入射して
、第２の偏光板１０６に吸収される過程について説明する。
【０１０７】
入射光１６０が第１の偏光板１０４において、直線偏光である第１の偏光１６２に変換
されるまでは図３（Ａ）に示す場合と同様である。
【０１０８】
次に、第１の偏光１６２は領域１５２に入射する。ここで、第１の偏光１６２は、第１
の構造体１１０、第１の電極層１２０および液晶層１０８の屈折率の違いによる影響を受
ける。しかし、第１の偏光１６２は、第１の構造体１１０の側面と第１の電極層１２０と
の界面または第１の電極層１２０と液晶層１０８との界面に平行な直線偏光であり、当該
界面に垂直な偏光成分を有さないので、当該界面に垂直な成分と当該界面に平行な成分に
位相差は生じない。よって、領域１５２を通過した第２の偏光１７０は第１の偏光１６２
と同様に直線偏光である。
【０１０９】
最後に、第２の偏光１７０が第２の偏光板１０６に入射する。第２の偏光１７０は第１
の方向１３０の偏光成分からなる直線偏光なので第２の偏光板１０６に吸収される。よっ
て、第２の偏光板１０６から光が射出されないので、黒表示の際に光漏れが観測されない
。
【０１１０】
また、図３（Ｃ）は、図１に示す本発明の一態様に係る液晶表示装置で黒表示を行う際
に、第１の偏光板１０４側から入射した光が領域１５４を透過して、第２の偏光板１０６
に吸収される様子を表した模式図である。以下に入射光１６０が第１の偏光板１０４に入
射して、第２の偏光板１０６に吸収される過程について説明する。
【０１１１】
入射光１６０が第１の偏光板１０４において、直線偏光である第１の偏光１６２に変換
されるまでは図３（Ａ）に示す場合と同様である。
【０１１２】
次に、第１の偏光１６２は領域１５４に入射する。ここで、第１の偏光１６２は、第１
の構造体１１０、第１の電極層１２０および液晶層１０８の屈折率の違いによる影響を受
ける。しかし、第１の偏光１６２は、第１の構造体１１０の側面と第１の電極層１２０と
の界面または第１の電極層１２０と液晶層１０８との界面に垂直な直線偏光であり、当該
界面に平行な偏光成分を有さないので、当該界面に垂直な成分と当該界面に平行な成分に
位相差は生じない。よって、領域１５４を通過した第２の偏光１７２は第１の偏光１６２
と同様に直線偏光である。
【０１１３】
最後に、第２の偏光１７２が第２の偏光板１０６に入射する。第２の偏光１７２は第１
の方向１３０の偏光成分からなる直線偏光なので第２の偏光板１０６に吸収される。よっ
て、第２の偏光板１０６から光が射出されないので、黒表示の際に光漏れが観測されない
。
【０１１４】
以上のようにして、図１に示す本発明の一態様に係る液晶表示装置において黒表示を行
う際に、領域１５２および領域１５４、つまり、第１の構造体１１０の側面と第１の電極
層１２０との界面または第１の電極層１２０と液晶層１０８との界面が第１の方向１３０
または第２の方向１３２に平行である領域で光漏れを低減できることになる。なお、領域
１５２または領域１５４は、第１の構造体１１０の側面と第１の電極層１２０との界面ま
たは第１の電極層１２０と液晶層１０８との界面が第１の方向１３０または第２の方向１
３２に平行である領域だが、以上の議論は、図１に示す本発明の一態様に係る液晶表示装
置の、第２の構造体１１２の側面と第２の電極層１２２との界面または第２の電極層１２
２と液晶層１０８との界面が第１の方向１３０または第２の方向１３２に平行である領域
についてももちろん成り立つ。
【０１１５】
以上のようにして、横電界モードを用いた液晶表示装置、特にブルー相を示す液晶を用
いた液晶表示装置において、黒表示を行う画素で生じる光漏れを低減し、コントラスト比
の向上を図る液晶表示装置を提供することができる。また、横電界モードを用いた液晶表
示装置、特にブルー相を示す液晶を用いた液晶表示装置において、白表示を行う画素にお
ける透過率を向上させ、コントラスト比の向上を図る液晶表示装置を提供することができ
る。
【０１１６】
以上、本実施の形態に示す構成などは、他の実施の形態に示す構成などと適宜組み合わ
せて用いることができる。
【０１１７】
（実施の形態２）
本実施の形態では、実施の形態１に示す液晶表示装置とは異なる態様の表示装置につい
て、図６を用いて説明する。先の実施の形態で図４（Ｃ）に示すような第１の構造体およ
び第２の構造体を設ける場合に、より効果的に黒表示を行う画素で光漏れを抑制すること
ができる構成について説明を行う。
【０１１８】
まず、図６（Ａ）乃至図６（Ｄ）を用いて本発明の一態様に係る液晶表示装置について
説明する。図６（Ａ）に本発明の一態様に係る液晶表示装置の平面を示し、図６（Ｂ）乃
至図６（Ｄ）に本発明の一態様に係る液晶表示装置の断面を示す。ここで、図６（Ｂ）に
示す断面図は、図６（Ａ）の破線Ａ−Ｂに対応しており、図６（Ｃ）に示す断面図は、図
６（Ａ）の破線Ｃ−Ｄに対応しており、図６（Ｄ）に示す断面図は、図６（Ａ）の破線Ｅ
−Ｆに対応している。なお図面の理解を容易にするために、図６（Ａ）において、第２の
電極層２２２と重畳する第３の電極層２２３などを省略している。
【０１１９】
図６（Ａ）乃至図６（Ｄ）に示す液晶表示装置は、図１に示す液晶表示装置と同様に、
第１の基板２００に設けられた第１の偏光板２０４と、第２の基板２０２に設けられた第
２の偏光板２０６と、第１の基板２００の液晶層２０８側の面から液晶層２０８中に突出
して設けられた第１の構造体２１０と、第１の基板２００の液晶層２０８側の面から液晶
層２０８中に突出して設けられた第２の構造体２１２と、第１の構造体２１０の上面およ
び側面の一部を覆う第１の電極層２２０と、第２の構造体２１２の上面および側面の一部
を覆う第２の電極層２２２と、第２の基板２０２の液晶層２０８側の面に、少なくとも一
部が第２の電極層２２２と重畳するように設けられた第３の電極層２２３と、第１の基板
２００と第２の基板２０２の間に挟持され、第１の電極層２２０および第２の電極層２２
２に接して設けられた液晶層２０８と、を有する。ここで、第１の偏光板２０４は、図６
（Ａ）に示す第１の方向２３０の偏光軸を有し、第２の偏光板２０６は、図６（Ａ）に示
す第１の方向２３０と直交する第２の方向２３２の偏光軸を有する。
【０１２０】
さらに、図６（Ａ）乃至図６（Ｄ）に示す液晶表示装置は、図１に示す液晶表示装置と
同様に、第１の構造体２１０の側面における第１の電極層２２０との界面、および第２の
構造体２１２の側面における第２の電極層２２２との界面は、図６（Ａ）に示す第１の方
向２３０または第２の方向２３２に平行になるように設けられている。また、第１の電極
層２２０と第２の電極層２２２は、第１の電極層２２０と第２の電極層２２２の間の液晶
層２０８に生じる電界の向きが、図６（Ａ）に示すように、第１の方向２３０と第２の方
向２３２のなす角を等分にする第３の方向２３４となるように設けられる。また、第１の
電極層２２０と第３の電極層２２３は、第１の電極層２２０と第３の電極層２２３の間の
液晶層２０８に生じる電界の平面方向の成分の向きが、図６（Ａ）に示すように、第１の
方向２３０と第２の方向２３２のなす角を等分にする第３の方向２３４となるように設け
られる。
【０１２１】
本実施の形態に示す液晶表示装置と、図１に示す液晶表示装置の相違点は、第１の構造
体２１０の底面の角部、および第１の構造体２１０の上面と底面の間に形成される角部が
円弧状に面取りされ、第１の構造体２１０の当該面取り部の一部が露出されるように第１
の電極層２２０が設けられている点である。また、第１の構造体２１０は、第１の構造体
１１０のような形状の複数の構造体を列ごとに端部で接続させた形状としている。また、
第１の電極層２２０の第３の方向の幅は、第１の構造体２１０の第３の方向の幅より小さ
くなる。なお、第２の構造体２１２および第２の電極層２２２も、第１の構造体２１０お
よび第１の電極層２２０と同様の相違点を有する。
【０１２２】
このように、本実施の形態で示す液晶表示装置は、第１の構造体２１０および第２の構
造体２１２の側面の円弧状に面取りされた部分は露出して、第１の電極層２２０および第
２の電極層２２２がその上に形成されないようにしている。
【０１２３】
これは、図６（Ａ）に示す領域２５０のような、第１の構造体２１０および第２の構造
体２１２の側面の円弧状に面取りされた部分は、第１の方向２３０および第２の方向２３
２に平行ではないので、当該部分の上に第１の電極層または第２の電極層を設けた場合、
図３（Ａ）で示したように黒表示を行う画素で光漏れが生じる恐れがあるからである。
【０１２４】
そこで、本実施の形態に示すように、第１の構造体２１０および第２の構造体２１２の
側面の円弧状に面取りされた部分を露出させることにより、当該側面においては、第１の
電極層２２０と第１の構造体２１０の界面または第１の電極層２２０と液晶層２０８との
界面が形成されないので、図３（Ａ）に示すメカニズムで複屈折が起こり、黒表示を行う
画素で光漏れが生じることを防ぐことができる。
【０１２５】
なお、上述の相違点以外については、第１の構造体２１０は第１の構造体１１０と、第
２の構造体２１２は第２の構造体１１２と、第１の電極層２２０は第１の電極層１２０と
、第２の電極層２２２は第２の電極層１２２と対応しているので、詳細については先の実
施の形態の記載を参酌することができる。他の構成についても図１に示す液晶表示装置と
同様であり、第１の基板２００は第１の基板１００と、第２の基板２０２は第２の基板１
０２と、第１の偏光板２０４は第１の偏光板１０４と、第２の偏光板２０６は第２の偏光
板１０６と、液晶層２０８は液晶層１０８と、第３の電極層２２３は第３の電極層１２３
と対応しているので、詳細については先の実施の形態の記載を参酌することができる。ま
た、第１の方向２３０は第１の方向１３０と、第２の方向２３２は第２の方向１３２と、
第３の方向２３４は第３の方向１３４と同様である。
【０１２６】
このような構成とすることにより、横電界モードを用いた液晶表示装置、特にブルー相
を示す液晶を用いた液晶表示装置において、黒表示を行う画素で生じる光漏れをより確実
に低減し、コントラスト比の向上を図ることができる。
【０１２７】
以上、本実施の形態に示す構成などは、他の実施の形態に示す構成などと適宜組み合わ
せて用いることができる。
【０１２８】
（実施の形態３）
本実施の形態では、実施の形態１に示す液晶表示装置とは異なる態様の表示装置につい
て、図７を用いて説明する。実施の形態１で示した液晶表示装置とは異なり、対向基板側
にも複数の第３の構造体を設け、当該第３の構造体の下面および側面を覆うように共通電
極層として機能する第３の電極層を設ける構成について説明を行う。
【０１２９】
図７（Ａ）乃至図７（Ｄ）を用いて本発明の一態様に係る液晶表示装置について説明す
る。図７（Ａ）に本発明の一態様に係る液晶表示装置の平面を示し、図７（Ｂ）乃至図７
（Ｄ）に本発明の一態様に係る液晶表示装置の断面を示す。ここで、図７（Ｂ）に示す断
面図は、図７（Ａ）の破線Ａ−Ｂに対応しており、図７（Ｃ）に示す断面図は、図７（Ａ
）の破線Ｃ−Ｄに対応しており、図７（Ｄ）に示す断面図は、図７（Ａ）の破線Ｅ−Ｆに
対応している。なお図面の理解を容易にするために、図７（Ａ）において、第２の電極層
３２２と重畳する第３の電極層３２３、第２の構造体３１２と重畳する第３の構造体３１
３などを省略している。
【０１３０】
図７（Ａ）乃至図７（Ｄ）に示す液晶表示装置は、図１に示す液晶表示装置と同様に、
第１の基板３００に設けられた第１の偏光板３０４と、第２の基板３０２に設けられた第
２の偏光板３０６と、第１の基板３００の液晶層３０８側の面から液晶層３０８中に突出
して設けられた第１の構造体３１０と、第１の基板３００の液晶層３０８側の面から液晶
層３０８中に突出して設けられた第２の構造体３１２と、第２の基板３０２の液晶層３０
８側の面から液晶層３０８中に突出し、且つ少なくとも一部が第２の構造体３１２と重畳
して設けられた第３の構造体３１３と、第１の構造体３１０の上面および側面を覆う第１
の電極層３２０と、第２の構造体３１２の上面および側面を覆う第２の電極層３２２と、
第３の構造体３１３の下面および側面を覆う第３の電極層３２３と、第１の基板３００と
第２の基板３０２の間に挟持され、第１の電極層３２０、第２の電極層３２２および第３
の電極層３２３に接して設けられた液晶層３０８と、を有する。ここで、第１の偏光板３
０４は、図７（Ａ）に示す第１の方向３３０の偏光軸を有し、第２の偏光板３０６は、図
７（Ａ）に示す第１の方向３３０と直交する第２の方向３３２の偏光軸を有する。
【０１３１】
さらに、図７（Ａ）乃至図７（Ｄ）に示す液晶表示装置は、図１に示す液晶表示装置と
同様に、第１の構造体３１０の側面と第１の電極層３２０の界面、第２の構造体３１２の
側面と第２の電極層３２２の界面および第３の構造体３１３の側面と第３の電極層３２３
の界面は、図７（Ａ）に示す第１の方向３３０または第２の方向３３２に平行になるよう
に設けられている。また、第１の電極層３２０と第２の電極層３２２は、第１の電極層３
２０と第２の電極層３２２の間の液晶層３０８に生じる電界の向きが、図７（Ａ）に示す
ように、第１の方向３３０と第２の方向３３２のなす角を等分にする第３の方向３３４と
なるように設けられる。また、第１の電極層３２０と第３の電極層３２３は、第１の電極
層３２０と第３の電極層３２３の間の液晶層３０８に生じる電界の平面方向の成分の向き
が、図７（Ａ）に示すように、第１の方向３３０と第２の方向３３２のなす角を等分にす
る第３の方向３３４となるように設けられる。
【０１３２】
図７に示す液晶表示装置の図１に示す液晶表示装置との相違点は、第２の基板３０２の
液晶層３０８側の面から液晶層３０８中に突出して複数の第３の構造体３１３が設けられ
、複数の第３の構造体３１３の下面および側面を覆うように第３の電極層３２３が設けら
れている点である。
【０１３３】
第３の構造体３１３は、図７（Ｂ）および図７（Ｄ）に示すように、第２の構造体３１
２と重畳するように設けられ、第３の方向３３４と直交するように設けられることが好ま
しい。ただし、図７（Ｂ）に示すように、必ずしも第３の構造体３１３と第２の構造体３
１２の端部が一致するように重畳させる必要はなく、少なくとも第３の構造体３１３の一
部が第２の構造体３１２の一部と重畳するようにすればよい。例えば、第２の構造体３１
２の中央部と第３の構造体３１３の一部とが重畳するようにすればよく、その際、第３の
構造体３１３の端部は、第２の構造体３１２の端部の外側に位置していてもよいし、第２
の構造体３１２の端部の内側に位置していてもよい。
【０１３４】
なお、第３の構造体３１３は、先の実施の形態に示す第１の構造体１１０または第２の
構造体１１２と同様の構成とすることができるので、形状、材料、形成方法などの詳細は
先の実施の形態の第１の構造体１１０または第２の構造体１１２の記載を参酌することが
できる。
【０１３５】
このように、第２の基板３０２の液晶層３０８側の面から液晶層３０８中に突出して複
数の第３の構造体３１３を設け、複数の第３の構造体３１３の下面および側面を覆うよう
に第３の電極層３２３を設けることにより、図７（Ｂ）に示すように、第１の電極層３２
０と第３の電極層３２３の距離を近づけ、当該電極層の間に生じる電界を強くすることが
できる。このとき、図７（Ａ）に示すように、第１の電極層３２０と第３の電極層３２３
の間に生じる電界の平面方向の成分は第３の方向３３４の向きとなる。よって、第１の電
極層３２０と第２の電極層３２２の間に生じる３次元的に拡大された電界を、液晶層３０
８の層の厚さ方向に３次元的にさらに拡大することができる。これにより、第３の電極層
３２３および第３の構造体３１３を設けていない場合と比較して、液晶層３０８の層の厚
さ方向の広い範囲に電界を印加することができるので、白透過率を向上させ、コントラス
ト比の向上を図ることができる。
【０１３６】
また、第３の構造体３１３を形成することにより、第３の構造体３１３の側面における
第３の構造体３１３と第３の電極層３２３の界面、および第３の電極層３２３と液晶層３
０８との界面を、第１の方向３３０または第２の方向３３２に平行にして設けることがで
きる。これにより、第３の構造体３１３、第３の電極層３２３および液晶層３０８の屈折
率の違いにより生じる複屈折を抑制することができるので、黒表示を行う画素で生じる光
漏れを低減し、コントラスト比の向上を図ることができる。
【０１３７】
なお、上述の相違点以外については、図１に示す液晶表示装置と同様であり、第１の基
板３００は第１の基板１００と、第２の基板３０２は第２の基板１０２と、第１の偏光板
３０４は第１の偏光板１０４と、第２の偏光板３０６は第２の偏光板１０６と、液晶層３
０８は液晶層１０８と、第１の構造体３１０は第１の構造体１１０と、第２の構造体３１
２は第２の構造体１１２と、第１の電極層３２０は第１の電極層１２０と、第２の電極層
３２２は第２の電極層１２２と、第３の電極層３２３は第３の電極層１２３と対応してい
るので、詳細については先の実施の形態の記載を参酌することができる。また、第１の方
向３３０は第１の方向１３０と、第２の方向３３２は第２の方向１３２と、第３の方向３
３４は第３の方向１３４と同様である。
【０１３８】
以上のような構成とすることにより、横電界モードを用いた液晶表示装置、特にブルー
相を示す液晶を用いた液晶表示装置において、黒表示を行う画素で生じる光漏れを低減し
、さらに白透過率を向上させてコントラスト比の向上を図ることができる。
【０１３９】
以上、本実施の形態に示す構成などは、他の実施の形態に示す構成などと適宜組み合わ
せて用いることができる。
【０１４０】
（実施の形態４）
先の実施の形態に示す液晶表示装置にトランジスタを形成したアクティブマトリクス基
板を用いた、アクティブマトリクス型の液晶表示装置の例を、図８および図９を用いて説
明する。
【０１４１】
図８（Ａ）は液晶表示装置の平面図であり１画素分の画素を示しており、本実施の形態
に示す液晶表示装置では当該画素がマトリクス状に複数設けられる。図８（Ｂ）は図８（
Ａ）の一点鎖線Ｘ１−Ｘ２における断面図である。なお図面の理解を容易にするために、
図８（Ａ）において、第２の電極層４２２と重畳する第３の電極層４２３などを省略して
いる。
【０１４２】
図８（Ａ）および図８（Ｂ）に示す液晶表示装置は、第１の基板４００に設けられた第
１の偏光板４０４と、第２の基板４０２に設けられた第２の偏光板４０６と、第１の基板
４００上で液晶層４０８側の面から液晶層４０８中に突出して設けられた複数の第１の構
造体４１０と、第１の基板４００上で液晶層４０８側の面から液晶層４０８中に突出して
設けられた複数の第２の構造体４１２と、複数の第１の構造体４１０の上面および側面を
覆う第１の電極層４２０と、複数の第２の構造体４１２の上面および側面を覆う第２の電
極層４２２と、第２の基板４０２の液晶層４０８側の面に、少なくとも一部が第２の電極
層４２２と重畳するように設けられた第３の電極層４２３と、第１の基板４００と第２の
基板４０２の間に挟持され、第１の電極層４２０、第２の電極層４２２および第３の電極
層４２３に接して設けられた液晶層４０８と、を有する。ここで、第１の偏光板４０４は
、図８（Ａ）に示す第１の方向４３０の偏光軸を有し、第２の偏光板４０６は、図８（Ａ
）に示す第１の方向４３０と直交する第２の方向４３２の偏光軸を有する。
【０１４３】
さらに、第１の構造体４１０の側面と第１の電極層４２０との界面、および第２の構造
体４１２の側面と第２の電極層４２２の界面は、図８（Ａ）に示す第１の方向４３０また
は第２の方向４３２に平行になるように設けられている。また、第１の電極層４２０と第
２の電極層４２２は、第１の電極層４２０と第２の電極層４２２の間の液晶層４０８に生
じる電界の向きが、図８（Ａ）に示すように、第１の方向４３０と第２の方向４３２のな
す角を等分にする第３の方向４３４となるように設けられる。また、第１の電極層４２０
と第３の電極層４２３は、第１の電極層４２０と第３の電極層４２３の間の液晶層４０８
に生じる電界の平面方向の成分の向きが、図８（Ａ）に示すように、第１の方向４３０と
第２の方向４３２のなす角を等分にする第３の方向４３４となるように設けられる。
【０１４４】
なお、上述の構成については、図１に示す液晶表示装置と同様であり、第１の基板４０
０は第１の基板１００と、第２の基板４０２は第２の基板１０２と、第１の偏光板４０４
は第１の偏光板１０４と、第２の偏光板４０６は第２の偏光板１０６と、第１の構造体４
１０は第１の構造体１１０と、第２の構造体４１２は第２の構造体１１２と、第１の電極
層４２０は第１の電極層１２０と、第２の電極層４２２は第２の電極層１２２と、第３の
電極層４２３は第３の電極層１２３と、液晶層４０８は液晶層１０８と対応しているので
、詳細については先の実施の形態の記載を参酌することができる。また、第１の方向４３
０は第１の方向１３０と、第２の方向４３２は第２の方向１３２と、第３の方向４３４は
第３の方向１３４と同様である。
【０１４５】
また、図８（Ａ）に示すように、複数のソース配線層（ソース電極層４４５ａを含む）
が互いに平行（図中上下方向に延伸）かつ互いに離間した状態で配置されている。複数の
ゲート配線層（ゲート電極層４４１を含む）は、ソース配線層に直交する方向（図中左右
方向）に延伸し、かつ互いに離間するように配置されている。容量配線層４４８は、隣接
する画素のゲート配線層に隣接する位置に配置されており、ゲート配線層に平行な方向、
つまり、ソース配線層に直交する方向（図中左右方向）に延伸している。言い換えると、
ゲート配線層および容量配線層４４８は第１の方向４３０に平行に設けられ、ソース配線
層は第２の方向４３２に平行に設けられている。このように、ゲート配線層、ソース配線
層および容量配線層は、第１の偏光板４０４の偏光軸または第２の偏光板４０６の偏光軸
に対して垂直または平行な方向に設けられている。これにより、ゲート配線層、ソース配
線層および容量配線層において、屈折率の違いにより生じる複屈折を抑制することができ
るので、黒表示を行う画素で生じる光漏れを低減し、コントラスト比の向上を図ることが
できる。
【０１４６】
また、容量配線層４４８と第１の電極層４２０の重畳する領域に容量が形成されている
。なお、本実施の形態において、容量配線層４４８は隣接する画素のゲート配線層に隣接
して設けるが、開示する発明はこれに限られるものではない。例えば、当該画素のゲート
配線層と当該画素に隣接する画素のゲート配線層のちょうど中間に容量配線層４４８を設
けても良いし、容量配線層４４８を設けずに、第１の電極層４２０の一部を隣接する画素
のゲート配線層に重畳して設けて容量を形成するようにしても良い。
【０１４７】
本実施の形態においては、ソース配線層と、容量配線層４４８及びゲート配線層とによ
って、略長方形の空間が囲まれているが、当該空間が画素領域として機能する。画素領域
として機能する空間の左上の角に第１の電極層４２０を駆動するトランジスタ４５０が配
置されている。
【０１４８】
そして、画素領域として機能する当該空間の第１の基板４００側に、本実施の形態に示
す液晶表示装置の画素電極層として機能する第１の電極層４２０の一部と、共通電極層と
して機能する第２の電極層４２２の一部が液晶層４０８を介して一定の間隔で対向して配
置されている。また、画素領域として機能する当該空間の第２の基板４０２側に、本実施
の形態に示す液晶表示装置の共通電極層として機能する第３の電極層４２３の一部が第２
の電極層４２２と重畳するように配置されている。
【０１４９】
図８（Ａ）に示すように、第１の電極層４２０は、一部がソース配線層とゲート配線層
に沿って設けられるカギ状のパターン形状（カギ状部）となっており、他部が当該カギ状
部から枝分かれした櫛歯状のパターン形状（櫛歯状部）となっている。第１の電極層４２
０の櫛歯状部は第３の方向４３４に直交するように設けられており、一部が容量配線層４
４８と重畳している。
【０１５０】
また、第２の電極層４２２は、一部が隣接する画素のソース配線層と容量配線層４４８
に沿って設けられるカギ状のパターン形状（カギ状部）となっており、他部が当該カギ状
部から枝分かれした櫛歯状のパターン形状（櫛歯状部）となっている。第２の電極層４２
２の櫛歯状部は第３の方向４３４に直交するように設けられており、ちょうど第１の電極
層４２０の櫛歯状部の間に噛み合うように設けられる。また、第２の電極層４２２のカギ
状部を他の画素の第２の電極層と電気的に接続させて共通配線層として機能させることも
できる。
【０１５１】
また、第３の電極層４２３は、少なくとも一部が第２の電極層４２２と重畳するように
設ければよく、本実施の形態では、第３の電極層４２３と第２の電極層４２２の端部が一
致するように設けられている。つまり、第３の電極層４２３は、一部が隣接する画素のソ
ース配線層と容量配線層４４８に沿って、第２の電極層４２２のカギ状部と重畳するよう
に設けられるカギ状のパターン形状（カギ状部）となっており、他部が当該カギ状部から
枝分かれした櫛歯状のパターン形状（櫛歯状部）となっている。第３の電極層４２３の櫛
歯状部は第３の方向４３４に直交するように設けられており、ちょうど第１の電極層４２
０の櫛歯状部の間に、第２の電極層４２２の櫛歯状部と重畳して噛み合うように設けられ
る。
【０１５２】
なお、共通電極層として機能する第２の電極層４２２および第３の電極層４２３は、フ
ローティング状態（電気的に孤立した状態）として動作させることも可能だが、固定電位
、好ましくはコモン電位（データとして送られる画像信号の中間電位）近傍でフリッカー
の生じないレベルに設定する。
【０１５３】
なお、第３の方向４３４は、第１の方向４３０と第２の方向４３２のなす角を厳密に等
分するだけでなく、±１０°以内でずれて当該角を分割する状態も含むものとするので、
第１の電極層４２０の櫛歯状部および第２の電極層４２２の櫛歯状部は第１の方向４３０
に対して３５°乃至５５°傾いて設けることができる。
【０１５４】
このように、第１の電極層４２０の櫛歯状部と第２の電極層４２２の櫛歯状部を、互い
に重畳させることなく一定間隔で対向して、第３の方向４３４に直交するように設け、且
つ第３の電極層４２３を第２の電極層４２２と重畳させて、第１の電極層４２０の櫛歯状
部と第３の電極層４２３の櫛歯状部を、互いに重畳させることなく一定間隔で対向して、
第３の方向４３４に直交するように設ける。これにより、第１の偏光板４０４を通過して
直線偏光に変換された光が、液晶層４０８で第１の方向４３０の偏光成分と第２の方向４
３２の偏光成分を有する円偏光または楕円偏光に変換されるので、液晶層４０８に電界を
印加したとき、つまり画素の白表示を行うときに、液晶表示装置の白透過率を向上させて
コントラスト比を向上させることができる。
【０１５５】
第１の電極層４２０は第１の基板４００（素子基板ともいう）上の層間膜４４９の液晶
層４０８側の面から液晶層４０８に突出して設けられた第１の構造体４１０の上面および
側面を覆って形成され、第２の電極層４２２は第１の基板４００上の層間膜４４９の液晶
層４０８側の面から液晶層４０８に突出して設けられた第２の構造体４１２の上面および
側面を覆って形成される。
【０１５６】
よって、複数の第１の構造体４１０および複数の第２の構造体４１２は、少なくとも第
１の電極層４２０の櫛歯状部および第２の電極層４２２の櫛歯状部に上面および側面が覆
われるように設けられるので、当該電極層の形状を反映して設けられる。つまり、複数の
第１の構造体４１０および複数の第２の構造体４１２は、一定間隔で対向して第３の方向
４３４に直交するように配列して設けられる。なお、本実施の形態に示す液晶表示装置に
おいては、画素領域内で液晶層４０８に対して第３の方向４３４に電界を印加できればよ
いので、第１の電極層４２０のカギ状部および第２の電極層４２２のカギ状部の下に第１
の構造体４１０および第２の構造体４１２を必ずしも設ける必要はない。
【０１５７】
上述のように、第１の構造体４１０の側面と第１の電極層４２０との界面、および第２
の構造体４１２の側面と第２の電極層４２２の界面は、図８（Ａ）に示す第１の方向４３
０または第２の方向４３２に平行になるように設けられている。これにより、第１の構造
体４１０、第１の電極層４２０および液晶層４０８の屈折率の違いにより生じる複屈折、
並びに第２の構造体４１２、第２の電極層４２２および液晶層４０８の屈折率の違いによ
り生じる複屈折を抑制することができるので、黒表示を行う画素で生じる光漏れを低減し
、コントラスト比の向上を図ることができる。
【０１５８】
なお、開示する発明に係る液晶表示装置の第１の電極層、第２の電極層および第３の電
極層の平面形状は、図８（Ａ）に示す形状に限られるものではない。例えば、図９（Ａ）
および図９（Ｂ）の平面図に示されるような形状としても良い。なお図面の理解を容易に
するために、図９（Ａ）および図９（Ｂ）において、第２の電極層４２２と重畳する第３
の電極層４２３などを省略している。
【０１５９】
図９（Ａ）および図９（Ｂ）に示す液晶表示装置は、図８に示す液晶表示装置と、第１
の電極層、第２の電極層および第３の電極層の形状と、第１の偏光板４０４および第２の
偏光板４０６の偏光軸の方向が異なるだけで、他の構成については図８に示す液晶表示装
置と同様である。
【０１６０】
図９（Ａ）に示す液晶表示装置は、ゲート配線層および容量配線層４４８は、第１の方
向４３０と第２の方向４３２のなす角を等分にする第３の方向４３４に平行に設けられ、
ソース配線層は第３の方向４３４に直交するように設けられている。
【０１６１】
図９（Ａ）に示す液晶表示装置において、第１の電極層４２０は、一部がゲート配線層
に沿って設けられるカギ状のパターン形状（カギ状部）となっており、他部が当該カギ状
部から枝分かれした櫛歯状のパターン形状（櫛歯状部）となっている。第１の電極層４２
０の櫛歯状部は第３の方向４３４に直交するように設けられており、一部が容量配線層４
４８と重畳している。また、第２の電極層４２２は、一部が容量配線層４４８に沿って設
けられる直線状のパターン形状（直線状部）となっており、他部が当該直線状部から枝分
かれした櫛歯状のパターン形状（櫛歯状部）となっている。第２の電極層４２２の櫛歯状
部は第３の方向４３４に直交するように設けられており、ちょうど第１の電極層４２０の
櫛歯状部の間に噛み合うように設けられる。また、図８に示す液晶表示装置と同様に第３
の電極層４２３は、第２の電極層４２２と重畳するように設けられている。
【０１６２】
また、図９（Ｂ）に示す液晶表示装置は、ゲート配線層および容量配線層４４８は、第
１の方向４３０に平行に設けられ、ソース配線層は第２の方向４３２に平行に設けられて
いる。
【０１６３】
図９（Ｂ）に示す液晶表示装置において、第１の電極層４２０は、一部がゲート配線層
に平行に設けられる直線状のパターン形状（直線状部）となっており、他部が当該直線状
部から枝分かれした櫛歯状のパターン形状（櫛歯状部）となっている。また、第２の電極
層４２２は、一部が容量配線層４４８に沿って設けられる直線状のパターン形状（直線状
部）となっており、他部が当該直線状部から枝分かれした櫛歯状のパターン形状（櫛歯状
部）となっている。また、図８に示す液晶表示装置と同様に第３の電極層４２３は、第２
の電極層４２２と重畳するように設けられている。
【０１６４】
ここで、第１の電極層４２０の櫛歯状部、第２の電極層４２２の櫛歯状部および第３の
電極層４２３の櫛歯状部は直角の屈曲部を有しており、第１の方向４３０と第２の方向４
３２のなす角を等分にする第３の方向４３４ａ、または当該第３の方向４３４ａに直交す
る第４の方向４３４ｂに平行になるように設けられている。なお本明細書などにおいて、
直角と記載する場合、厳密に直角な角度のみでなく、厳密に直角な角度から±１０°以内
の状態を含むものとする。
【０１６５】
第１の電極層４２０の櫛歯状部と、第２の電極層４２２の櫛歯状部または第３の電極層
４２３の櫛歯状部とは互いに噛み合うように設けられるので、第１の電極層４２０の櫛歯
状部と、第２の電極層４２２の櫛歯状部または第３の電極層４２３の櫛歯状部との間の液
晶層４０８で第３の方向４３４ａまたは第４の方向４３４ｂに電界が印加される。なお、
第１の電極層４２０の櫛歯状部は一部が容量配線層４４８と重畳している。
【０１６６】
また、図８（Ｂ）に示すように、トランジスタ４５０は逆スタガ型の薄膜トランジスタ
であり、絶縁表面を有する基板である第１の基板４００上に、ゲート電極層４４１、ゲー
ト絶縁層４４２、半導体層４４３、ソース電極層４４５ａ、ドレイン電極層４４５ｂを含
む。トランジスタ４５０を覆い、保護絶縁層である絶縁層４４７が設けられ、絶縁層４４
７上に層間膜４４９が積層されている。また、トランジスタ４５０のドレイン電極層４４
５ｂは、絶縁層４４７および層間膜４４９に形成された開口を介して第１の電極層４２０
と電気的に接続されている。なお、本実施の形態では、トランジスタ４５０をボトムゲー
ト構造の逆スタガ型のトランジスタとしたがこれに限られるものではなく、例えば、トッ
プゲート構造のトランジスタとしても良いし、コプラナ型のトランジスタとしても良い。
【０１６７】
なお、本実施の形態では、第１の電極層４２０はトランジスタ４５０のドレイン電極層
４４５ｂと直接接する構造であるが、ドレイン電極層４４５ｂと接する電極層を形成し、
当該電極層を介してドレイン電極層４４５ｂと電気的に接続される第１の電極層４２０を
形成してもよい。
【０１６８】
また、下地膜となる絶縁膜を第１の基板４００とゲート電極層４４１の間に設けてもよ
い。下地膜は、第１の基板４００からの不純物元素の拡散を防止する機能があり、窒化シ
リコン膜、酸化シリコン膜、窒化酸化シリコン膜、又は酸化窒化シリコン膜から選ばれた
一又は複数の膜による積層構造により形成することができる。
【０１６９】
ゲート電極層４４１（ゲート配線層も含む）は、モリブデン、チタン、タンタル、タン
グステン、アルミニウム、銅、ネオジム、スカンジウム等の金属材料又はこれらを主成分
とする合金材料を用いて、単層で又は積層して形成することができる。また、ゲート電極
層４４１（ゲート配線層も含む）に用いる導電膜は、導電性の金属酸化物で形成しても良
い。導電性の金属酸化物としては酸化インジウム（Ｉｎ２Ｏ３）、酸化スズ（ＳｎＯ２）
、酸化亜鉛（ＺｎＯ）、インジウムスズ酸化物（Ｉｎ２Ｏ３―ＳｎＯ２、ＩＴＯと略記す
る）、インジウム亜鉛酸化物（Ｉｎ２Ｏ３―ＺｎＯ）またはこれらの金属酸化物材料に酸
化シリコンを含ませたものを用いることができる。
【０１７０】
ゲート絶縁層４４２は、プラズマＣＶＤ法又はスパッタリング法等を用いて、酸化シリ
コン層、窒化シリコン層、酸化窒化シリコン層、窒化酸化シリコン層、酸化アルミニウム
層、窒化アルミニウム層、酸化窒化アルミニウム層、窒化酸化アルミニウム層、酸化ガリ
ウム層又は酸化ハフニウム層を単層で又は積層して形成することができる。
【０１７１】
ソース電極層４４５ａ（ソース配線層も含む）、ドレイン電極層４４５ｂに用いる導電
膜としては、ゲート電極層４４１の材料と同様のものを用いることができる。
【０１７２】
半導体層４４３は、シランやゲルマンに代表される半導体材料ガスを用いて気相成長法
やスパッタリング法で作製される非晶質（アモルファス、以下「ＡＳ」ともいう。）半導
体、該非晶質半導体を光エネルギーや熱エネルギーを利用して結晶化させた多結晶半導体
、或いは微結晶（セミアモルファス若しくはマイクロクリスタルとも呼ばれる。以下「Ｓ
ＡＳ」ともいう。）半導体などを用いることができる。これらの半導体層はスパッタ法、
ＬＰＣＶＤ法、またはプラズマＣＶＤ法等により成膜することができる。
【０１７３】
ここで微結晶半導体は、ギブスの自由エネルギーを考慮すれば非晶質と単結晶の中間的
な準安定状態に属するものである。すなわち、自由エネルギー的に安定な第３の状態を有
する半導体であって、短距離秩序を持ち格子歪みを有する。柱状または針状結晶が基板表
面に対して法線方向に成長している。微結晶半導体の代表例である微結晶シリコンは、そ
のラマンスペクトルが単結晶シリコンを示す５２０ｃｍ−１よりも低波数側に、シフトし
ている。即ち、単結晶シリコンを示す５２０ｃｍ−１とアモルファスシリコンを示す４８
０ｃｍ−１の間に微結晶シリコンのラマンスペクトルのピークがある。また、未結合手（
ダングリングボンド）を終端するため水素またはハロゲンを少なくとも１原子％またはそ
れ以上含ませている。さらに、ヘリウム、アルゴン、クリプトン、ネオンなどの希ガス元
素を含ませて格子歪みをさらに助長させることで、安定性が増し良好な微結晶半導体膜が
得られる。
【０１７４】
アモルファス半導体としては、代表的には水素化アモルファスシリコン、結晶性半導体
としては代表的にはポリシリコンなどがあげられる。ポリシリコン（多結晶シリコン）に
は、８００℃以上のプロセス温度を経て形成されるポリシリコンを主材料として用いた所
謂高温ポリシリコンや、６００℃以下のプロセス温度で形成されるポリシリコンを主材料
として用いた所謂低温ポリシリコン、また結晶化を促進する元素などを用いて、非晶質シ
リコンを結晶化させたポリシリコンなどを含んでいる。もちろん、前述したように、微結
晶半導体又は半導体層の一部に結晶相を含む半導体を用いることもできる。
【０１７５】
また、半導体の材料としてはシリコン（Ｓｉ）、ゲルマニウム（Ｇｅ）などの単体のほ
かＧａＡｓ、ＩｎＰ、ＳｉＣ、ＺｎＳｅ、ＧａＮ、ＳｉＧｅなどのような化合物半導体も
用いることができる。
【０１７６】
また、半導体層４４３は酸化物半導体膜を用いて形成することができる。半導体層４４
３に用いる酸化物半導体としては、少なくともインジウム（Ｉｎ）を含む。特にＩｎと亜
鉛（Ｚｎ）を含むことが好ましい。また、該酸化物半導体膜を用いたトランジスタの電気
特性のばらつきを減らすためのスタビライザーとして、それらに加えてガリウム（Ｇａ）
を有することが好ましい。また、スタビライザーとしてスズ（Ｓｎ）を有することが好ま
しい。また、スタビライザーとしてハフニウム（Ｈｆ）を有することが好ましい。また、
スタビライザーとしてアルミニウム（Ａｌ）を有することが好ましい。また、スタビライ
ザーとしてジルコニウム（Ｚｒ）を有することが好ましい。
【０１７７】
また、他のスタビライザーとして、ランタノイドである、ランタン（Ｌａ）、セリウム
（Ｃｅ）、プラセオジム（Ｐｒ）、ネオジム（Ｎｄ）、サマリウム（Ｓｍ）、ユウロピウ
ム（Ｅｕ）、ガドリニウム（Ｇｄ）、テルビウム（Ｔｂ）、ジスプロシウム（Ｄｙ）、ホ
ルミウム（Ｈｏ）、エルビウム（Ｅｒ）、ツリウム（Ｔｍ）、イッテルビウム（Ｙｂ）、
ルテチウム（Ｌｕ）のいずれか一種あるいは複数種を有してもよい。
【０１７８】
例えば、酸化物半導体として、酸化インジウム、酸化スズ、酸化亜鉛、二元系金属の酸
化物であるＩｎ−Ｚｎ系酸化物、Ｉｎ−Ｍｇ系酸化物、Ｉｎ−Ｇａ系酸化物、三元系金属
の酸化物であるＩｎ−Ｇａ−Ｚｎ系酸化物（ＩＧＺＯとも表記する）、Ｉｎ−Ａｌ−Ｚｎ
系酸化物、Ｉｎ−Ｓｎ−Ｚｎ系酸化物、Ｉｎ−Ｈｆ−Ｚｎ系酸化物、Ｉｎ−Ｌａ−Ｚｎ系
酸化物、Ｉｎ−Ｃｅ−Ｚｎ系酸化物、Ｉｎ−Ｐｒ−Ｚｎ系酸化物、Ｉｎ−Ｎｄ−Ｚｎ系酸
化物、Ｉｎ−Ｓｍ−Ｚｎ系酸化物、Ｉｎ−Ｅｕ−Ｚｎ系酸化物、Ｉｎ−Ｇｄ−Ｚｎ系酸化
物、Ｉｎ−Ｔｂ−Ｚｎ系酸化物、Ｉｎ−Ｄｙ−Ｚｎ系酸化物、Ｉｎ−Ｈｏ−Ｚｎ系酸化物
、Ｉｎ−Ｅｒ−Ｚｎ系酸化物、Ｉｎ−Ｔｍ−Ｚｎ系酸化物、Ｉｎ−Ｙｂ−Ｚｎ系酸化物、
Ｉｎ−Ｌｕ−Ｚｎ系酸化物、四元系金属の酸化物であるＩｎ−Ｓｎ−Ｇａ−Ｚｎ系酸化物
、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａ
ｌ−Ｚｎ系酸化物、Ｉｎ−Ｓｎ−Ｈｆ−Ｚｎ系酸化物、Ｉｎ−Ｈｆ−Ａｌ−Ｚｎ系酸化物
を用いることができる。
【０１７９】
なお、ここで、例えば、Ｉｎ−Ｇａ−Ｚｎ系酸化物とは、ＩｎとＧａとＺｎを主成分と
して有する酸化物という意味であり、ＩｎとＧａとＺｎの比率は問わない。また、Ｉｎと
ＧａとＺｎ以外の金属元素が入っていてもよい。
【０１８０】
また、酸化物半導体として、ＩｎＭＯ３（ＺｎＯ）ｍ（ｍ＞０、且つ、ｍは整数でない
）で表記される材料を用いてもよい。なお、Ｍは、Ｇａ、Ｆｅ、Ｍｎ及びＣｏから選ばれ
た一の金属元素または複数の金属元素を示す。また、酸化物半導体として、Ｉｎ２ＳｎＯ
５（ＺｎＯ）ｎ（ｎ＞０、且つ、ｎは整数）で表記される材料を用いてもよい。
【０１８１】
半導体層４４３に用いる酸化物半導体膜は、単結晶、多結晶（ポリクリスタルともいう
。）または非晶質などの状態をとる。
【０１８２】
好ましくは、半導体層４４３に用いる酸化物半導体膜は、ＣＡＡＣ−ＯＳ（Ｃ  Ａｘｉ
ｓ  Ａｌｉｇｎｅｄ  Ｃｒｙｓｔａｌｌｉｎｅ  Ｏｘｉｄｅ  Ｓｅｍｉｃｏｎｄｕｃｔｏ
ｒ）膜とする。
【０１８３】
ＣＡＡＣ−ＯＳ膜は、完全な単結晶ではなく、完全な非晶質でもない。ＣＡＡＣ−ＯＳ
膜は、非晶質相に結晶部を有する結晶−非晶質混相構造の酸化物半導体膜である。なお、
当該結晶部は、一辺が１００ｎｍ未満の立方体内に収まる大きさであることが多い。また
、透過型電子顕微鏡（ＴＥＭ：Ｔｒａｎｓｍｉｓｓｉｏｎ  Ｅｌｅｃｔｒｏｎ  Ｍｉｃｒ
ｏｓｃｏｐｅ）による観察像では、ＣＡＡＣ−ＯＳ膜に含まれる非晶質部と結晶部との境
界は明確ではない。また、ＴＥＭによってＣＡＡＣ−ＯＳ膜には粒界（グレインバウンダ
リーともいう。）は確認できない。そのため、ＣＡＡＣ−ＯＳ膜は、粒界に起因する電子
移動度の低下が抑制される。
【０１８４】
ＣＡＡＣ−ＯＳ膜に含まれる結晶部は、ｃ軸がＣＡＡＣ−ＯＳ膜の被形成面の法線ベク
トルまたは表面の法線ベクトルに平行な方向に揃い、かつａｂ面に垂直な方向から見て三
角形状または六角形状の原子配列を有し、ｃ軸に垂直な方向から見て金属原子が層状また
は金属原子と酸素原子とが層状に配列している。なお、異なる結晶部間で、それぞれａ軸
およびｂ軸の向きが異なっていてもよい。本明細書において、ａｂ面またはｃ軸について
垂直と記載する場合、８５°以上９５°以下の範囲も含まれることとする。また、ａｂ面
またはｃ軸について平行と記載する場合、−５°以上５°以下の範囲も含まれることとす
る。
【０１８５】
なお、ＣＡＡＣ−ＯＳ膜において、結晶部の分布が一様でなくてもよい。例えば、ＣＡ
ＡＣ−ＯＳ膜の形成過程において、酸化物半導体膜の表面側から結晶成長させる場合、被
形成面の近傍に対し表面の近傍では結晶部の占める割合が高くなることがある。また、Ｃ
ＡＡＣ−ＯＳ膜へ不純物を添加することにより、当該不純物添加領域において結晶部が非
晶質化することもある。
【０１８６】
ＣＡＡＣ−ＯＳ膜に含まれる結晶部のｃ軸は、ＣＡＡＣ−ＯＳ膜の被形成面の法線ベク
トルまたは表面の法線ベクトルに平行な方向に揃うため、ＣＡＡＣ−ＯＳ膜の形状（被形
成面の断面形状または表面の断面形状）によっては互いに異なる方向を向くことがある。
なお、結晶部のｃ軸の方向は、ＣＡＡＣ−ＯＳ膜が形成されたときの被形成面の法線ベク
トルまたは表面の法線ベクトルに平行な方向となる。結晶部は、成膜することにより、ま
たは成膜後に加熱処理などの結晶化処理を行うことにより形成される。
【０１８７】
ＣＡＡＣ−ＯＳ膜を用いたトランジスタは、可視光や紫外光の照射による電気特性の変
動が小さい。よって、当該トランジスタは、信頼性が高い。
【０１８８】
酸化物半導体膜は、水素や水などが混入しにくい方法で作製するのが望ましい。例えば
、スパッタリング法などを用いて作製することができる。酸化物半導体膜の成膜の雰囲気
は、希ガス（代表的にはアルゴン）雰囲気下、酸素雰囲気下、または、希ガスと酸素の混
合雰囲気下などとすればよい。また、酸化物半導体膜への水素、水、水酸基、水素化物な
どの混入を防ぐために、水素、水、水酸基、水素化物などの水素原子を含む不純物が十分
に除去された高純度ガスを用いた雰囲気とすることが望ましい。また成膜後、酸化物半導
体膜に熱処理を行うのが望ましい。熱処理を行うことにより、酸化物半導体膜中の水や水
素などの不純物を除去する、または酸化物半導体膜中に酸素を供給することができる。
【０１８９】
このような酸化物半導体膜を半導体層４４３として用いることにより、オフ状態におけ
る電流値（オフ電流値）を低くすることができる。よって、画像信号等の電気信号の保持
時間を長くすることができ、電源オン状態では書き込み間隔も長く設定できる。よって、
リフレッシュ動作の頻度を少なくすることができるため、消費電力をより抑制する効果を
奏する。
【０１９０】
半導体層、電極層、配線層の作製工程において、薄膜を所望の形状に加工するためにエ
ッチング工程を用いる。エッチング工程は、ドライエッチングやウエットエッチングを用
いることができる。
【０１９１】
ドライエッチングに用いるエッチング装置としては、反応性イオンエッチング法（ＲＩ
Ｅ法）を用いたエッチング装置や、ＥＣＲ（Ｅｌｅｃｔｒｏｎ  Ｃｙｃｌｏｔｒｏｎ  Ｒ
ｅｓｏｎａｎｃｅ）やＩＣＰ（Ｉｎｄｕｃｔｉｖｅｌｙ  Ｃｏｕｐｌｅｄ  Ｐｌａｓｍａ
）などの高密度プラズマ源を用いたドライエッチング装置を用いることができる。
【０１９２】
所望の加工形状にエッチングできるように、エッチング条件（コイル型の電極に印加さ
れる電力量、基板側の電極に印加される電力量、基板側の電極温度等）を適宜調節する。
【０１９３】
所望の加工形状にエッチングできるように、材料に合わせてエッチング条件（エッチン
グ液、エッチング時間、温度等）を適宜調節する。
【０１９４】
なお、トランジスタ４５０の半導体層４４３は一部のみがエッチングされ、溝部（凹部
）を有する半導体層の例である。
【０１９５】
トランジスタ４５０を覆う絶縁層４４７は、乾式法や湿式法で形成される無機絶縁膜、
有機絶縁膜を用いることができる。例えば、ＣＶＤ法やスパッタリング法などを用いて得
られる窒化シリコン膜、酸化シリコン膜、酸化窒化シリコン膜、酸化アルミニウム膜、酸
化タンタル膜または酸化ガリウム膜などを単層または積層で用いることができる。
【０１９６】
また、層間膜４４９は、ポリイミド、アクリル、ベンゾシクロブテン、ポリアミド、エ
ポキシ等の有機材料を用いることができる。また上記有機材料の他に、低誘電率材料（ｌ
ｏｗ−ｋ材料）、シロキサン系樹脂、ＰＳＧ（リンガラス）、ＢＰＳＧ（リンボロンガラ
ス）等を用いることができる。
【０１９７】
なおシロキサン系樹脂とは、シロキサン系材料を出発材料として形成されたＳｉ−Ｏ−
Ｓｉ結合を含む樹脂に相当する。シロキサン系樹脂は置換基としては有機基（例えばアル
キル基やアリール基）やフルオロ基を用いても良い。また、有機基はフルオロ基を有して
いても良い。
【０１９８】
層間膜４４９の形成法は、特に限定されず、その材料に応じて、スピンコート、ディッ
プ、スプレー塗布、液滴吐出法（インクジェット法等）、印刷法（スクリーン印刷、オフ
セット印刷等）、ロールコート、カーテンコート、ナイフコート等を用いることができる
。
【０１９９】
また、層間膜４４９上に第１の構造体４１０および第２の構造体４１２を設けるのでは
なく、層間膜４４９の上部を凹凸形状に直接加工しても良い。
【０２００】
また、図８では図示しないが、位相差板、反射防止膜などの光学フィルムなどは適宜設
けることができる。また、カラーフィルタ層として機能する着色層を設けることができる
。また、光源としてバックライトなどを用いることができる。
【０２０１】
このような構成とすることにより、横電界モードを用いた液晶表示装置、特にブルー相
を示す液晶を用いたアクティブマトリクス型の液晶表示装置において、黒表示を行う画素
で生じる光漏れを低減し、白表示を行う画素における透過率を向上させて、コントラスト
比の向上を図ることができる。
【０２０２】
以上、本実施の形態に示す構成などは、他の実施の形態に示す構成などと適宜組み合わ
せて用いることができる。
【０２０３】
（実施の形態５）
本明細書に開示する液晶表示装置は、さまざまな電子機器（遊技機も含む）に適用する
ことができる。電子機器としては、例えば、テレビジョン装置（テレビ、またはテレビジ
ョン受信機ともいう）、コンピュータ用などのモニタ、デジタルカメラ、デジタルビデオ
カメラ、デジタルフォトフレーム、電子書籍、携帯電話機（携帯電話、携帯電話装置とも
いう）、携帯型ゲーム機、携帯情報端末、音響再生装置、パチンコ機などの大型ゲーム機
などが挙げられる。
【０２０４】
図１０（Ａ）は、テレビジョン装置の一例を示している。テレビジョン装置１０００は
、筐体１００１に表示部１００３が組み込まれている。表示部１００３により、映像を表
示することが可能である。また、ここでは、スタンド１００５により筐体１００１を支持
した構成を示している。
【０２０５】
テレビジョン装置１０００の操作は、筐体１００１が備える操作スイッチや、別体のリ
モコン操作機１０１０により行うことができる。リモコン操作機１０１０が備える操作キ
ー１００９により、チャンネルや音量の操作を行うことができ、表示部１００３に表示さ
れる映像を操作することができる。また、リモコン操作機１０１０に、当該リモコン操作
機１０１０から出力する情報を表示する表示部１００７を設ける構成としてもよい。
【０２０６】
先の実施の形態に示す液晶表示装置を用いて表示部１００３、表示部１００７を作製す
ることにより、黒表示を行う画素で生じる光漏れを低減し、白表示を行う画素における透
過率を向上させて、コントラスト比の向上を図ったテレビジョン装置１０００を提供する
ことができる。
【０２０７】
なお、テレビジョン装置１０００は、受信機やモデムなどを備えた構成とする。受信機
により一般のテレビ放送の受信を行うことができ、さらにモデムを介して有線または無線
による通信ネットワークに接続することにより、一方向（送信者から受信者）または双方
向（送信者と受信者間、あるいは受信者間同士など）の情報通信を行うことも可能である
。
【０２０８】
図１０（Ｂ）は、デジタルフォトフレームの一例を示している。例えば、デジタルフォ
トフレーム１１００は、筐体１１０１に表示部１１０３が組み込まれている。表示部１１
０３は、各種画像を表示することが可能であり、例えばデジタルカメラなどで撮影した画
像データを表示させることで、通常の写真立てと同様に機能させることができる。
【０２０９】
なお、デジタルフォトフレーム１１００は、操作部、外部接続用端子（ＵＳＢ端子、Ｕ
ＳＢケーブルなどの各種ケーブルと接続可能な端子など）、記録媒体挿入部などを備える
構成とする。これらの構成は、表示部と同一面に組み込まれていてもよいが、側面や裏面
に備えるとデザイン性が向上するため好ましい。例えば、デジタルフォトフレームの記録
媒体挿入部に、デジタルカメラで撮影した画像データを記憶したメモリを挿入して画像デ
ータを取り込み、取り込んだ画像データを表示部１１０３に表示させることができる。
【０２１０】
先の実施の形態に示す液晶表示装置を用いて表示部１１０３を作製することにより、黒
表示を行う画素で生じる光漏れを低減し、白表示を行う画素における透過率を向上させて
、コントラスト比の向上を図ったデジタルフォトフレーム１１００を提供することができ
る。
【０２１１】
また、デジタルフォトフレーム１１００は、無線で情報を送受信できる構成としてもよ
い。無線により、所望の画像データを取り込み、表示させる構成とすることもできる。
【０２１２】
図１０（Ｃ）は携帯型遊技機であり、筐体１２８１と筐体１２９１の２つの筐体で構成
されており、連結部１２９３により、開閉可能に連結されている。筐体１２８１には表示
部１２８２が組み込まれ、筐体１２９１には表示部１２８３が組み込まれている。また、
図１０（Ｃ）に示す携帯型遊技機は、その他、スピーカ部１２８４、記録媒体挿入部１２
８６、ＬＥＤランプ１２９０、入力手段（操作キー１２８５、接続端子１２８７、センサ
１２８８（力、変位、位置、速度、加速度、角速度、回転数、距離、光、液、磁気、温度
、化学物質、音声、時間、硬度、電場、電流、電圧、電力、放射線、流量、湿度、傾度、
振動、におい又は赤外線を測定する機能を含むもの）、マイクロフォン１２８９）等を備
えている。もちろん、携帯型遊技機の構成は上述のものに限定されず、少なくとも本明細
書に開示する液晶表示装置を備えた構成であればよく、その他付属設備が適宜設けられた
構成とすることができる。図１０（Ｃ）に示す携帯型遊技機は、記録媒体に記録されてい
るプログラム又はデータを読み出して表示部に表示する機能や、他の携帯型遊技機と無線
通信を行って情報を共有する機能を有する。なお、図１０（Ｃ）に示す携帯型遊技機が有
する機能はこれに限定されず、様々な機能を有することができる。
【０２１３】
先の実施の形態に示す液晶表示装置を用いて表示部１２８２、表示部１２８３を作製す
ることにより、黒表示を行う画素で生じる光漏れを低減し、白表示を行う画素における透
過率を向上させて、コントラスト比の向上を図った携帯型遊技機を提供することができる
。
【０２１４】
図１０（Ｄ）は、携帯電話機であり、筐体１３４０と筐体１３４１の２つの筐体で構成
されている。さらに、筐体１３４０と筐体１３４１は、スライドし、図１０（Ｄ）のよう
に展開している状態から重なり合った状態とすることができ、携帯に適した小型化が可能
である。また、筐体１３４１は、表示パネル１３４２、スピーカ１３４３、マイクロフォ
ン１３４４、ポインティングデバイス１３４６、カメラ用レンズ１３４７、外部接続端子
１３４８などを備えている。また、筐体１３４０は、携帯電話機の充電を行う太陽電池セ
ル１３４９、外部メモリスロット１３５０などを備えている。また、表示パネル１３４２
はタッチパネルを備えており、図１０（Ｄ）には映像表示されている複数の操作キー１３
４５を点線で示している。また、アンテナは、筐体１３４１に内蔵されている。
【０２１５】
先の実施の形態に示す液晶表示装置を用いて表示パネル１３４２を作製することにより
、黒表示を行う画素で生じる光漏れを低減し、白表示を行う画素における透過率を向上さ
せて、コントラスト比の向上を図った携帯電話機を提供することができる。
【０２１６】
また、図１０（Ｅ）は、腕時計のように使用者の腕に装着可能な形態を有している携帯
電話機の一例を示す斜視図である。
【０２１７】
この携帯電話機は、少なくとも電話機能を有する通信装置及びバッテリーを有する本体
、本体を腕に装着するためのバンド部１４０４、腕に対するバンド部１４０４の固定状態
を調節する調節部１４０５、表示部１４０１、スピーカ１４０７、及びマイク１４０８か
ら構成されている。
【０２１８】
また、本体は、操作スイッチ１４０３を有し、電源入力スイッチや、表示切り替えスイ
ッチや、撮像開始指示スイッチの他、例えばボタンを押すとインターネット用のプログラ
ムが起動されるなど、各ファンクションを対応づけることができる。
【０２１９】
この携帯電話機の入力操作は、表示部１４０１に指や入力ペンなどで触れること、又は
操作スイッチ１４０３の操作、またはマイク１４０８への音声入力により行われる。なお
、図１０（Ｅ）では、表示部１４０１に表示された表示ボタン１４０２を図示しており、
指などで触れることにより入力を行うことができる。
【０２２０】
また、本体は、撮影レンズを通して結像される被写体像を電子画像信号に変換する撮像
手段を有するカメラ部１４０６を有する。なお、特にカメラ部は設けなくともよい。
【０２２１】
また、図１０（Ｅ）に示す携帯電話機は、テレビ放送の受信機などを備えた構成として
、テレビ放送を受信して映像を表示部１４０１に表示することができ、さらにメモリなど
の記憶装置などを備えた構成として、テレビ放送をメモリに録画できる。また、図１０（
Ｅ）に示す携帯電話は、ＧＰＳなどの位置情報を収集できる機能を有していてもよい。
【０２２２】
先の実施の形態に示す液晶表示装置を用いて表示部１４０１を作製することにより、黒
表示を行う画素で生じる光漏れを低減し、白表示を行う画素における透過率を向上させて
、コントラスト比の向上を図った携帯電話機を提供することができる。
【０２２３】
図１０（Ｆ）は携帯型のコンピュータの一例を示す斜視図である。
【０２２４】
図１０（Ｆ）の携帯型のコンピュータは、上部筐体１５０１と下部筐体１５０２とを接
続するヒンジユニットを閉状態として表示部１５０３を有する上部筐体１５０１と、キー
ボード１５０４を有する下部筐体１５０２とを重ねた状態とすることができ、持ち運ぶこ
とが便利であるとともに、使用者がキーボード入力する場合には、ヒンジユニットを開状
態として、表示部１５０３を見て入力操作を行うことができる。
【０２２５】
また、下部筐体１５０２はキーボード１５０４の他に入力操作を行うポインティングデ
バイス１５０６を有する。また、表示部１５０３をタッチ入力パネルとすれば、表示部の
一部に触れることで入力操作を行うこともできる。また、下部筐体１５０２はＣＰＵやハ
ードディスク等の演算機能部を有している。また、下部筐体１５０２は他の機器、例えば
ＵＳＢの通信規格に準拠した通信ケーブルが差し込まれる外部接続ポート１５０５を有し
ている。
【０２２６】
上部筐体１５０１には更に上部筐体１５０１内部にスライドさせて収納可能な表示部１
５０７を有しており、広い表示画面を実現することができる。また、収納可能な表示部１
５０７の画面の向きを使用者は調節できる。また、収納可能な表示部１５０７をタッチ入
力パネルとすれば、収納可能な表示部の一部に触れることで入力操作を行うこともできる
。
【０２２７】
先の実施の形態に示す液晶表示装置を用いて表示部１５０３、収納可能な表示部１５０
７を作製することにより、黒表示を行う画素で生じる光漏れを低減し、白表示を行う画素
における透過率を向上させて、コントラスト比の向上を図った携帯型のコンピュータを提
供することができる。
【０２２８】
また、図１０（Ｆ）の携帯型のコンピュータは、受信機などを備えた構成として、テレ
ビ放送を受信して映像を表示部に表示することができる。また、上部筐体１５０１と下部
筐体１５０２とを接続するヒンジユニットを閉状態としたまま、表示部１５０７をスライ
ドさせて画面全面を露出させ、画面角度を調節して使用者がテレビ放送を見ることもでき
る。この場合には、ヒンジユニットを開状態として表示部１５０３を表示させることなく
、さらにテレビ放送を表示するだけの回路の起動のみを行うため、最小限の消費電力とす
ることができ、バッテリー容量の限られている携帯型のコンピュータにおいて有用である
。
【０２２９】
以上、本実施の形態に示す構成などは、他の実施の形態に示す構成などと適宜組み合わ
せて用いることができる。
【符号の説明】
【０２３０】
１００    第１の基板
１０２    第２の基板
１０４    第１の偏光板
１０６    第２の偏光板
１０８    液晶層
１１０    第１の構造体
１１０ａ    第１の構造体
１１０ｂ    第１の構造体
１１２    第２の構造体
１１２ａ    第２の構造体
１１２ｂ    第２の構造体
１２０    第１の電極層
１２２    第２の電極層
１２３    第３の電極層
１３０    第１の方向
１３２    第２の方向
１３４    第３の方向
１４０    第１の構造体
１４２    第２の構造体
１５０    領域
１５２    領域
１５４    領域
１６０    入射光
１６２    第１の偏光
１６２ａ    界面平行成分
１６２ｂ    界面垂直成分
１６４    第２の偏光
１６６    射出光
１７０    第２の偏光
１７２    第２の偏光
１８０    第１の構造体
１８２    第２の構造体
１９０    第１の構造体
１９２    第２の構造体
２００    第１の基板
２０２    第２の基板
２０４    第１の偏光板
２０６    第２の偏光板
２０８    液晶層
２１０    第１の構造体
２１２    第２の構造体
２２０    第１の電極層
２２２    第２の電極層
２２３    第３の電極層
２３０    第１の方向
２３２    第２の方向
２３４    第３の方向
２５０    領域
３００    第１の基板
３０２    第２の基板
３０４    第１の偏光板
３０６    第２の偏光板
３０８    液晶層
３１０    第１の構造体
３１２    第２の構造体
３１３    第３の構造体
３２０    第１の電極層
３２２    第２の電極層
３２３    第３の電極層
３３０    第１の方向
３３２    第２の方向
３３４    第３の方向
４００    第１の基板
４０２    第２の基板
４０４    第１の偏光板
４０６    第２の偏光板
４０８    液晶層
４１０    第１の構造体
４１２    第２の構造体
４２０    第１の電極層
４２２    第２の電極層
４２３    第３の電極層
４３０    第１の方向
４３２    第２の方向
４３４    第３の方向
４３４ａ    第３の方向
４３４ｂ    第４の方向
４４１    ゲート電極層
４４２    ゲート絶縁層
４４３    半導体層
４４５ａ    ソース電極層
４４５ｂ    ドレイン電極層
４４７    絶縁層
４４８    容量配線層
４４９    層間膜
４５０    トランジスタ
１０００    テレビジョン装置
１００１    筐体
１００３    表示部
１００５    スタンド
１００７    表示部
１００９    操作キー
１０１０    リモコン操作機
１１００    デジタルフォトフレーム
１１０１    筐体
１１０３    表示部
１２８１    筐体
１２８２    表示部
１２８３    表示部
１２８４    スピーカ部
１２８５    操作キー
１２８６    記録媒体挿入部
１２８７    接続端子
１２８８    センサ
１２８９    マイクロフォン
１２９０    ＬＥＤランプ
１２９１    筐体
１２９３    連結部
１３４０    筐体
１３４１    筐体
１３４２    表示パネル
１３４３    スピーカ
１３４４    マイクロフォン
１３４５    操作キー
１３４６    ポインティングデバイス
１３４７    カメラ用レンズ
１３４８    外部接続端子
１３４９    太陽電池セル
１３５０    外部メモリスロット
１４０１    表示部
１４０２    表示ボタン
１４０３    操作スイッチ
１４０４    バンド部
１４０５    調節部
１４０６    カメラ部
１４０７    スピーカ
１４０８    マイク
１５０１    上部筐体
１５０２    下部筐体
１５０３    表示部
１５０４    キーボード
１５０５    外部接続ポート
１５０６    ポインティングデバイス
１５０７    表示部
【図１】
2018022167.tif 000003
【図２】
2018022167.tif 000004
【図３】
2018022167.tif 000005
【図４】
2018022167.tif 000006
【図５】
2018022167.tif 000007
【図６】
2018022167.tif 000008
【図７】
2018022167.tif 000009
【図８】
2018022167.tif 000010
【図９】
2018022167.tif 000011
【図１０】
2018022167.tif 000012